(57)【要約】無線送信／受信ユニット（ＷＴＲＵ）が、たとえばアップリンクＭＩＭＯ動作に関連するランク、オフセット、またはストリーム間干渉制御情報を決定するためのシステム、方法、および手段が開示される。ＷＴＲＵを制御するための方法は、チャネルに関連付けられた専用Ｅ−ＲＮＴＩを受信するステップを含む。チャネルは、ランクインジケーションに関連付けられる。チャネルは、Ｅ−ＡＧＣＨ−ｌｉｋｅチャネルである。チャネルは、Ｅ−ＡＧＣＨと同様の符号化構造を有する。チャネルは、Ｅ−ＲＯＣＨである。チャネルが受信され、チャネルが専用Ｅ−ＲＮＴＩに関連付けられていることが決定される。ランクまたはオフセットのうちの少なくとも１つが決定され、ＷＴＲＵは決定されたランクまたはオフセットで構成される。ストリーム間干渉（ＩＳＩ）オフセットが、たとえばＲＣＣシグナリングを介して受信され、１次ストリームのアップリンク送信に適用される。
2015507435.tif 000002
【特許請求の範囲】
【請求項１】
無線送信／受信ユニット（ＷＴＲＵ）を制御するための方法であって、
専用Ｅ−ＲＮＴＩを受信するステップであって、前記専用Ｅ−ＲＮＴＩはチャネルに関連付けられ、前記チャネルはランクインジケーションに関連付けられる、該ステップと、
前記チャネルを受信するステップと、
前記チャネルが前記専用Ｅ−ＲＮＴＩに関連付けられていることを決定するステップと、
ランクまたはオフセットのうちの少なくとも１つを決定するステップと
を備えたことを特徴とする方法。
【請求項２】
前記チャネルは、Ｅ−ＡＧＣＨ−ｌｉｋｅチャネルであることを特徴とする請求項１に記載の方法。
【請求項３】
前記Ｅ−ＡＧＣＨ−ｌｉｋｅチャネルは、Ｅ−ＲＯＣＨであることを特徴とする請求項２に記載の方法。
【請求項４】
前記Ｅ−ＡＧＣＨ−ｌｉｋｅチャネルの符号化は、Ｅ−ＡＧＣＨ符号化に関連することを特徴とする請求項２に記載の方法。
【請求項５】
前記Ｅ−ＡＧＣＨ−ｌｉｋｅチャネルは、Ｅ−ＡＧＣＨと同じ符号化チェーンを有することを特徴とする請求項４に記載の方法。
【請求項６】
前記チャネルが前記専用Ｅ−ＲＮＴＩに関連付けられていることを決定するステップは、前記チャネルを復号するステップを備えたことを特徴とする請求項１に記載の方法。
【請求項７】
前記チャネルが前記専用Ｅ−ＲＮＴＩに関連付けられていることを決定するステップは、前記チャネルを復号するステップと、前記専用Ｅ−ＲＮＴＩを利用して、前記復号されたチャネルについて巡回冗長検査（ＣＲＣ）を実行するステップと、前記チャネルが前記専用Ｅ−ＲＮＴＩに関連付けられていると決定するステップとを備えたことを特徴とする請求項１に記載の方法。
【請求項８】
前記ランクは、ＭＩＭＯレイヤの最大許容数を示すことを特徴とする請求項１に記載の方法。
【請求項９】
前記オフセットを使用してデュアルストリーム送信の２次ストリームのトランスポートブロックサイズを決定するステップ
をさらに備えたことを特徴とする請求項１に記載の方法。
【請求項１０】
前記決定されたランクまたはオフセットで前記ＷＴＲＵを構成するステップをさらに備えたことを特徴とする請求項１に記載の方法。
【請求項１１】
ストリーム間干渉（ＩＳＩ）オフセットを受信するステップをさらに備えたことを特徴とする請求項１に記載の方法。
【請求項１２】
前記ＩＳＩオフセットは、ＲＲＣシグナリングを介して受信されることを特徴とする請求項１１に記載の方法。
【請求項１３】
前記ＩＳＩオフセットをデュアルストリーム送信の１次ストリームのアップリンク送信に適用するステップをさらに備えたことを特徴とする請求項１１に記載の方法。
【請求項１４】
専用Ｅ−ＲＮＴＩを受信し、前記専用Ｅ−ＲＮＴＩはチャネルに関連付けられ、および前記チャネルはランクインジケーションに関連付けられており、
前記チャネルを受信し、
前記チャネルが前記専用Ｅ−ＲＮＴＩに関連付けられていることを決定し、
ランクまたはオフセットのうちの少なくとも１つを決定する、
ように構成されたプロセッサ
を備えたことを特徴とするＷＴＲＵ。
【請求項１５】
前記チャネルは、Ｅ−ＡＧＣＨ−ｌｉｋｅチャネルであることを特徴とする請求項１４に記載のＷＴＲＵ。
【請求項１６】
前記Ｅ−ＡＧＣＨ−ｌｉｋｅチャネルは、Ｅ−ＲＯＣＨであることを特徴とする請求項１５に記載のＷＴＲＵ。
【請求項１７】
前記Ｅ−ＡＧＣＨ−ｌｉｋｅチャネルの符号化は、Ｅ−ＡＧＣＨ符号化に関連することを特徴とする請求項１５に記載のＷＴＲＵ。
【請求項１８】
前記Ｅ−ＡＧＣＨ−ｌｉｋｅチャネルは、Ｅ−ＡＧＣＨと同じ符号化チェーンを有することを特徴とする請求項１７に記載のＷＴＲＵ。
【請求項１９】
前記プロセッサは、前記チャネルを復号し、前記チャネルが前記専用Ｅ−ＲＮＴＩに関連付けられていることを決定するように構成されることを特徴とする請求項１４に記載のＷＴＲＵ。
【請求項２０】
前記チャネルが専用Ｅ−ＲＮＴＩに関連付けられていることを決定するために、前記プロセッサは、前記チャネルを復号し、前記専用Ｅ−ＲＮＴＩを利用して、前記復号されたチャネルについて巡回冗長検査（ＣＲＣ）を実行し、前記チャネルが前記専用Ｅ−ＲＮＴＩに関連付けられていることを決定するように構成されたことを特徴とする請求項１４に記載のＷＴＲＵ。
【請求項２１】
前記ランクは、ＭＩＭＯレイヤの最大許容数を示すことを特徴とする請求項１４に記載のＷＴＲＵ。
【請求項２２】
前記プロセッサは、前記オフセットを使用してデュアルストリーム送信の２次ストリームのトランスポートブロックサイズを決定するようにさらに構成されたことを特徴とする請求項１４に記載のＷＴＲＵ。
【請求項２３】
前記プロセッサは、前記決定されたランクまたはオフセットで前記ＷＴＲＵを構成するようにさらに構成されたことを特徴とする請求項１４に記載のＷＴＲＵ。
【請求項２４】
前記プロセッサは、ストリーム間干渉（ＩＳＩ）オフセットを受信するようにさらに構成されたことを特徴とする請求項１４に記載のＷＴＲＵ。
【請求項２５】
前記ＩＳＩオフセットは、ＲＲＣシグナリングを介して受信されることを特徴とする請求項２４に記載のＷＴＲＵ。
【請求項２６】
前記プロセッサは、前記ＩＳＩオフセットをデュアルストリーム送信の１次ストリームのアップリンク送信に適用するようにさらに構成されたことを特徴とする請求項２４に記載のＷＴＲＵ。
【発明の詳細な説明】
【技術分野】
【０００１】
本発明は、ＭＩＭＯ動作においてＥ−ＤＣＨ制御チャネルを送信するための方法に関する。
【背景技術】
【０００２】
アップリンクにおけるＵＭＴＳ  ＷＣＤＭＡ（登録商標）標準の発展は、従来、ダウンリンク送信に対して遅れている。実際、ダウンリンクでの必要とされるデータ送信は、通常、ユーザにとって、アップリンク方向での送信より大きいと想定される。アップリンクでのデュアルストリーム動作に関して多数の問題がある。
【発明の概要】
【発明が解決しようとする課題】
【０００３】
本発明によれば、ＭＩＭＯ動作においてＥ−ＤＣＨ制御チャネルを送信するための改善された方法を提供する。
【課題を解決するための手段】
【０００４】
無線送信／受信ユニット（ＷＴＲＵ）が、たとえばアップリンクマルチ入力およびマルチ出力（ＭＩＭＯ）動作に関連するランク、オフセット、および／またはストリーム間干渉制御情報を決定するためのシステム、方法、および手段が開示される。ＷＴＲＵは、専用Ｅ−ＲＮＴＩを受け取るように構成されるプロセッサを含む。専用Ｅ−ＲＮＴＩは、チャネルに関連付けられる。チャネルは、ランクインジケーションに関連付けられる。チャネルは、Ｅ−ＡＧＣＨ−ｌｉｋｅチャネル（Ｅ−ＡＧＣＨ−ｌｉｋｅ  ｃｈａｎｎｅｌ）である。たとえば、Ｅ−ＡＧＣＨ−ｌｉｋｅチャネルは、Ｅ−ＲＯＣＨである。
【０００５】
Ｅ−ＡＧＣＨ−ｌｉｋｅチャネルの符号化は、Ｅ−ＡＧＣＨ符号化に関連する。たとえば、Ｅ−ＡＧＣＨ−ｌｉｋｅチャネルは、Ｅ−ＡＧＣＨと同じ符号化チェーンを有する。
【０００６】
プロセッサは、チャネルを受け取り、そのチャネルが専用Ｅ−ＲＮＴＩに関連付けられていると決定するように構成される。プロセッサは、ランクまたはオフセットのうちの少なくとも１つを決定するように構成される。ランクは、ＭＩＭＯレイヤの最大許容数を示す。デュアルストリーム送信の２次ストリームのトランスポートブロックサイズが、オフセットを使用して決定される。さらに、プロセッサは、決定されたランクまたはオフセットでＷＴＲＵを構成するように構成される。
【０００７】
プロセッサは、チャネルを復号し、そのチャネルが専用Ｅ−ＲＮＴＩに関連付けられていると決定するように構成される。たとえば、プロセッサは、チャネルを復号し、専用Ｅ−ＲＮＴＩを使用して、復号されたチャネルについて巡回冗長検査（ＣＲＣ）を実施し、そのチャネルが専用Ｅ−ＲＮＴＩに関連付けられていると決定するように構成される。
【０００８】
さらに、プロセッサは、ストリーム間干渉（ＩＳＩ）オフセットを、たとえばＲＲＣシグナリングを介して受け取るように構成される。さらに、プロセッサは、ＩＳＩオフセットをデュアルストリーム送信の１次ストリームのアップリンク送信に適用するように構成される。
【図面の簡単な説明】
【０００９】
【図１Ａ】１または複数の開示されている実施形態が実装される例示的な通信システムのシステム図である。
【図１Ｂ】図１Ａに示されている通信システム内で使用される例示的な無線送信／受信ユニット（ＷＴＲＵ）のシステム図である。
【図１Ｃ】図１Ａに示されている通信システム内で使用される例示的な無線アクセスネットワークおよび例示的なコアネットワークのシステム図である。
【図１Ｄ】図１Ａに示されている通信システム内で使用される他の例示的な無線アクセスネットワークおよび例示的なコアネットワークのシステム図である。
【図１Ｅ】図１Ａに示されている通信システム内で使用される他の例示的な無線アクセスネットワークおよび例示的なコアネットワークのシステム図である。
【図２】ＴＲＩを用いた例示的なＥ−ＡＧＣＨ符号化の図である。
【図３】ランク制御タイマの一例の図である。
【図４】ＷＴＲＵ  Ｅ−ＤＣＨ動作状態図である。
【図５】トータルグラントおよび２次ストリームパラメータを担持する共有制御チャネルのための例示的な符号化の図である。
【図６】共有制御チャネルのための例示的な符号化の図である。
【図７】２次ストリームパラメータ（ＳＳＰ）およびＩＳＩパラメータがＥ−ＡＧＣＨ−ｌｉｋｅチャネルを介してシグナリングされる概念の一例の図である。
【発明を実施するための形態】
【００１０】
次に、例示的な実施形態の詳細な説明について、様々な図を参照して述べる。この説明は、可能な実装の詳細な例を提供するが、これらの詳細は、例示的なものであり、本願の範囲を決して限定しないものとすることに留意されたい。
【００１１】
図１Ａは、１または複数の開示されている実施形態が実装される例示的な通信システム１００の図である。通信システム１００は、音声、データ、映像、メッセージング、ブロードキャストなど、コンテンツを複数の無線ユーザに提供する多元接続システムである。通信システム１００は、複数の無線ユーザが、無線帯域幅を含むシステムリソースの共用によってそのようなコンテンツにアクセスすることを可能にする。たとえば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）など、１または複数のチャネルアクセス方法を使用する。
【００１２】
図１Ａに示されているように、通信システム１００は、無線送信／受信ユニット（ＷＴＲＵ）１０２ａ、１０２ｂ、１０２ｃ、および／または１０２ｄ（これらは、全体的に、またはまとめてＷＴＲＵ１０２と呼ばれる）、無線アクセスネットワーク（ＲＡＮ）１０３／１０４／１０５、コアネットワーク１０６／１０７／１０９、公衆交換電話網（ＰＳＴＮ）１０８、インターネット１１０、ならびに他のネットワーク１１２を含むが、開示されている実施形態は任意の数のＷＴＲＵ、基地局、ネットワーク、および／またはネットワーク要素を企図していることを理解されたい。ＷＴＲＵ１０２ａ、１０２ｂ、１０２ｃ、１０２ｄのそれぞれは、無線環境で動作および／または通信するように構成された任意のタイプのデバイスである。たとえば、ＷＴＲＵ１０２ａ、１０２ｂ、１０２ｃ、１０２ｄは、無線信号を送信および／または受信するように構成され、ユーザ機器（ＵＥ）、移動局、固定型もしくは移動型加入者ユニット、ページャ、セルラ電話、携帯情報端末（ＰＤＡ）、スマートフォン、ラップトップ、ネットブック、パーソナルコンピュータ、無線センサ、家電などを含む。
【００１３】
また、通信システム１００は、基地局１１４ａおよび基地局１１４ｂを含む。基地局１１４ａ、１１４ｂのそれぞれは、ＷＴＲＵ１０２ａ、１０２ｂ、１０２ｃ、１０２ｄの少なくとも１つと無線でインターフェースし、コアネットワーク１０６／１０７／１０９、インターネット１１０、および／またはネットワーク１１２など、１または複数の通信ネットワークへのアクセスを円滑にするように構成された任意のタイプのデバイスである。たとえば、基地局１１４ａ、１１４ｂは、ベーストランシーバ基地局（ＢＴＳ）、ノードＢ、高度化ノードＢ、ホームノードＢ、ホーム高度化ノードＢ、サイトコントローラ、アクセスポイント（ＡＰ）、無線ルータなどである。基地局１１４ａ、１１４ｂはそれぞれが単一の要素として示されているが、基地局１１４ａ、１１４ｂは任意の数の相互接続された基地局および／またはネットワーク要素を含むことを理解されたい。
【００１４】
基地局１１４ａはＲＡＮ１０３／１０４／１０５の一部であり、ＲＡＮ１０４もまた、基地局コントローラ（ＢＳＣ）、無線ネットワークコントローラ（ＲＮＣ）、中継ノードなど、他の基地局および／またはネットワーク要素（図示せず）を含む。基地局１１４ａおよび／または基地局１１４ｂは、セル（図示せず）と呼ばれる特定の地理的領域内で無線信号を送信および／または受信するように構成される。さらに、セルは、セルセクタに分割される。たとえば、基地局１１４ａに関連付けられたセルは、３つのセクタに分割される。したがって、一実施形態では、基地局１１４ａは、３つ、すなわちセルの各セクタごとに１つ、トランシーバを含む。他の実施形態では、基地局１１４ａは、マルチ入力およびマルチ出力（ＭＩＭＯ）技術を使用し、したがって、セルの各セクタについて複数のトランシーバを使用する。
【００１５】
基地局１１４ａ、１１４ｂは、任意の好適な無線通信リンク（たとえば、無線周波数（ＲＦ）、マイクロ波、赤外（ＩＲ）、紫外（ＵＶ）、可視光など）であるエアインターフェース１１５／１１６／１１７上でＷＴＲＵ１０２ａ、１０２ｂ、１０２ｃ、１０２ｄの１または複数と通信する。エアインターフェース１１５／１１６／１１７は、任意の好適な無線アクセス技術（ＲＡＴ）を使用して確立される。
【００１６】
より具体的には、上記で指摘したように、通信システム１００は、多元接続システムであり、ＣＤＭＡ、ＴＤＭＡ、ＦＤＭＡ、ＯＦＤＭＡ、ＳＣ−ＦＤＭＡなど、１または複数のチャネルアクセス方式を使用する。たとえば、ＲＡＮ１０３／１０４／１０５内の基地局１１４ａ、およびＷＴＲＵ１０２ａ、１０２ｂ、１０２ｃは、広帯域ＣＤＭＡ（ＷＣＤＭＡ）を使用してエアインターフェース１１５／１１６／１１７を確立するユニバーサル移動体通信システム（ＵＭＴＳ）地上波無線アクセス（ＵＴＲＡ）など無線技術を実装する。ＷＣＤＭＡは、高速パケットアクセス（ＨＳＰＡ）および／または発展型ＨＳＰＡ（ＨＳＰＡ＋）など、通信プロトコルを含む。ＨＳＰＡは、高速ダウンリンクパケットアクセス（ＨＳＤＰＡ）および／または高速アップリンクパケットアクセス（ＨＳＵＰＡ）を含む。
【００１７】
他の実施形態では、基地局１１４ａ、およびＷＴＲＵ１０２ａ、１０２ｂ、１０２ｃは、ロングタームエボリューション（ＬＴＥ）および／または拡張ＬＴＥ（ＬＴＥ−Ａ）を使用してエアインターフェース１１５／１１６／１１７を確立する拡張ＵＭＴＳ地上波無線アクセスネットワーク（Ｅ−ＵＴＲＡＮ）など無線技術を実装する。
【００１８】
他の実施形態では、基地局１１４ａ、およびＷＴＲＵ１０２ａ、１０２ｂ、１０２ｃは、ＩＥＥＥ８０２．１６（すなわち、ＷｉＭＡＸ（ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ））、ＣＤＭＡ２０００、ＣＤＭＡ２０００  １Ｘ、ＣＤＭＡ２０００ＥＶ−ＤＯ、暫定標準２０００（ＩＳ−２０００）、暫定標準９５（ＩＳ−９５）、暫定標準８５６（ＩＳ−８５６）、グローバル移動体通信システム（ＧＳＭ（登録商標））、ＧＳＭエボリューション用の拡張データ転送速度（ＥＤＧＥ）、ＧＳＭ  ＥＤＧＥ（ＧＥＲＡＮ）など、無線技術を実装する。
【００１９】
図１Ａにおける基地局１１４ｂは、たとえば、無線ルータ、ホームノードＢ、ホーム高度化ノードＢ、またはアクセスポイントであり、事業所、自宅、乗物、キャンパスなど、局所的な領域での無線コネクティビティを円滑にするための任意の好適なＲＡＴを利用する。一実施形態では、基地局１１４ｂ、およびＷＴＲＵ１０２ｃ、１０２ｄは、無線ローカルエリアネットワーク（ＷＬＡＮ）を確立するために、ＩＥＥＥ８０２．１１など無線技術を実装する。他の実施形態では、基地局１１４ｂ、およびＷＴＲＵ１０２ｃ、１０２ｄは、無線パーソナルエリアネットワーク（ＷＰＡＮ）を確立するために、ＩＥＥＥ８０２．１５など無線技術を実装する。他の実施形態では、基地局１１４ｂ、およびＷＴＲＵ１０２ｃ、１０２ｄは、ピコセルまたはフェムトセルを確立するために、セルラベースのＲＡＴ（たとえば、ＷＣＤＭＡ、ＣＤＭＡ２０００、ＧＳＭ、ＬＴＥ、ＬＴＥ−Ａなど）を利用する。図１Ａに示されているように、基地局１１４ｂは、インターネット１１０に対する直接接続を有する。したがって、基地局１１４ｂは、コアネットワーク１０６／１０７／１０９を介してインターネット１１０にアクセスすることが必要でない。
【００２０】
ＲＡＮ１０３／１０４／１０５はコアネットワーク１０６／１０７／１０９と通信し、コアネットワーク１０６／１０７／１０９は、音声、データ、アプリケーション、および／またはボイスオーバーインターネットプロトコル（ＶｏＩＰ）サービスを、ＷＴＲＵ１０２ａ、１０２ｂ、１０２ｃ、１０２ｄの１または複数に提供するように構成された任意のタイプのネットワークである。たとえば、コアネットワーク１０６／１０７／１０９は、呼制御、支払い請求サービス、移動体位置をベースとするサービス、プリペイド呼、インターネットコネクティビティ、映像配信などを提供することができ、かつ／またはユーザ認証などハイレベルセキュリティ機能を実行する。図１Ａには示されていないが、ＲＡＮ１０３／１０４／１０５および／またはコアネットワーク１０６／１０７／１０９は、ＲＡＮ１０３／１０４／１０５と同じＲＡＴまたは異なるＲＡＴを使用する他のＲＡＮと直接または間接的に通信することを理解されたい。たとえば、Ｅ−ＵＴＲＡ無線技術を利用しているＲＡＮ１０３／１０４／１０５に接続されることに加えて、コアネットワーク１０６／１０７／１０９はまた、ＧＳＭ無線技術を使用する別のＲＡＮ（図示せず）と通信する。
【００２１】
また、コアネットワーク１０６／１０７／１０９は、ＷＴＲＵ１０２ａ、１０２ｂ、１０２ｃ、１０２ｄがＰＳＴＮ１０８、インターネット１１０、および／または他のネットワーク１１２にアクセスするためのゲートウェイとして働く。ＰＳＴＮ１０８は、基本電話サービス（ＰＯＴＳ）を提供する回線交換電話網を含む。インターネット１１０は、ＴＣＰ／ＩＰインターネットプロトコルスイートにおける伝送制御プロトコル（ＴＣＰ）、ユーザデータグラムプロトコル（ＵＤＰ）、インターネットプロトコル（ＩＰ）など、一般的な通信プロトコルを使用する相互接続されたコンピュータネットワークおよびデバイスのグローバルシステムを含む。ネットワーク１１２は、他のサービスプロバイダによって所有および／または運営される有線もしくは無線通信ネットワークを含む。たとえば、ネットワーク１１２は、ＲＡＮ１０３／１０４／１０５と同じＲＡＴまたは異なるＲＡＴを使用する１または複数のＲＡＮに接続された別のコアネットワークを含む。
【００２２】
通信システム１００におけるＷＴＲＵ１０２ａ、１０２ｂ、１０２ｃ、１０２ｄの一部または全部がマルチモード機能を含む。すなわち、ＷＴＲＵ１０２ａ、１０２ｂ、１０２ｃ、１０２ｄは、異なる無線リンク上で異なる無線ネットワークと通信するために複数のトランシーバを含む。たとえば、図１Ａに示されているＷＴＲＵ１０２ｃは、セルラベースの無線技術を使用する基地局１１４ａ、およびＩＥＥＥ８０２無線技術を使用する基地局１１４ｂと通信するように構成される。
【００２３】
図１Ｂは、例示的なＷＴＲＵ１０２のシステム図である。図１Ｂに示されているように、ＷＴＲＵ１０２は、プロセッサ１１８、トランシーバ１２０、送信／受信エレメント１２２、スピーカ／マイクロフォン１２４、キーパッド１２６、ディスプレイ／タッチパッド１２８、非取外し式メモリ１３０、取外し式メモリ１３２、電源１３４、全世界測位システム（ＧＰＳ）チップセット１３６、および他の周辺機器１３８を含む。ＷＴＲＵ１０２は、一実施形態と一貫したまま前述の要素の任意のサブコンビネーションを含むことを理解されたい。また、実施形態は、基地局１１４ａ、１１４ｂ、および／または、それだけには限らないがとりわけベーストランシーバ基地局（ＢＴＳ）、ノードＢ、サイトコントローラ、アクセスポイント（ＡＰ）、ホームノードＢ、高度化ホームノードＢ（高度化ノードＢ）、ホーム高度化ノードＢ（ＨｅＮＢ）、ホーム高度化ノードＢゲートウェイ、およびプロキシノードなど、基地局１１４ａ、１１４ｂが表すノードが、図１Ｂに示され本明細書に記載されている要素の一部または全部を含むことを企図する。
【００２４】
プロセッサ１１８は、汎用プロセッサ、専用プロセッサ、従来のプロセッサ、デジタル信号プロセッサ（ＤＳＰ）、複数のマイクロプロセッサ、ＤＳＰコアに関連付けられた１または複数のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、状態機械などである。プロセッサ１１８は、信号符号化、データ処理、電力制御、入力／出力処理、および／またはＷＴＲＵ１０２が無線環境で動作することを可能にする任意の他の機能を実施する。プロセッサ１１８はトランシーバ１２０に結合され、トランシーバ１２０は送信／受信エレメント１２２に結合される。図１Ｂは、プロセッサ１１８とトランシーバ１２０を別個の構成要素として示しているが、プロセッサ１１８とトランシーバ１２０は電子パッケージまたはチップ内で共に集積されてもよいことを理解されたい。
【００２５】
送信／受信エレメント１２２は、エアインターフェース１１５／１１６／１１７上で基地局（たとえば、基地局１１４ａ）に信号を送信するまたは基地局から信号を受信するように構成される。たとえば、一実施形態では、送信／受信エレメント１２２は、ＲＦ信号を送信および／または受信するように構成されたアンテナである。他の実施形態では、送信／受信エレメント１２２は、たとえばＩＲ信号、ＵＶ信号、または可視光信号を送信および／または受信するように構成されたエミッタ／ディテクタである。他の実施形態では、送信／受信エレメント１２２は、ＲＦ信号と光信号を共に送信および受信するように構成される。送信／受信エレメント１２２は、任意の組合せの無線信号を送信および／または受信するように構成されることを理解されたい。
【００２６】
さらに、送信／受信エレメント１２２は図１Ｂに単一のエレメントとして示されているが、ＷＴＲＵ１０２は任意の数の送信／受信エレメント１２２を含む。より具体的には、ＷＴＲＵ１０２はＭＩＭＯ技術を使用する。したがって、一実施形態では、ＷＴＲＵ１０２は、エアインターフェース１１５／１１６／１１７上で無線信号を送信および受信するために２つ以上の送信／受信エレメント１２２（たとえば、複数のアンテナ）を含む。
【００２７】
トランシーバ１２０は、送信／受信エレメント１２２によって送信しようとする信号を変調するように、また送信／受信エレメント１２２によって受信される信号を復調するように構成される。上記で指摘したように、ＷＴＲＵ１０２は、マルチモード機能を有する。したがって、トランシーバ１２０は、たとえばＵＴＲＡおよびＩＥＥＥ８０２．１１など複数のＲＡＴを介してＷＴＲＵ１０２が通信することを可能にするために複数のトランシーバを含む。
【００２８】
ＷＴＲＵ１０２のプロセッサ１１８は、スピーカ／マイクロフォン１２４、キーパッド１２６、および／またはディスプレイ／タッチパッド１２８（たとえば、液晶ディスプレイ（ＬＣＤ）ディスプレイユニット、または有機発光ダイオード（ＯＬＥＤ）ディスプレイユニット）に結合され、それらからユーザ入力データを受け取る。また、プロセッサ１１８は、ユーザデータをスピーカ／マイクロフォン１２４、キーパッド１２６、および／またはディスプレイ／タッチパッド１２８に出力する。さらに、プロセッサ１１８は、非取外し式メモリ１３０および／または取外し式メモリ１３２など、任意のタイプの好適なメモリからの情報にアクセスし、そのメモリにデータを記憶させる。非取外し式メモリ１３０は、ランダムアクセスメモリ（ＲＡＭ）、読出し専用メモリ（ＲＯＭ）、ハードディスク、または任意の他のタイプのメモリ記憶装置を含む。取外し式メモリ１３２は、加入者識別モジュール（ＳＩＭ）カード、メモリスティック、セキュアデジタル（ＳＤ）メモリカードなどを含む。他の実施形態では、プロセッサ１１８は、サーバ上または家庭用コンピュータ（図示せず）上など、物理的にＷＴＲＵ１０２上に位置しないメモリからの情報にアクセスし、そのメモリにデータを記憶させる。
【００２９】
プロセッサ１１８は、電源１３４から電力を受け取り、ＷＴＲＵ１０２内の他の構成要素に電力を分配し、および／またはその電力を制御するように構成される。電源１３４は、ＷＴＲＵ１０２に給電するための任意の好適なデバイスである。たとえば、電源１３４は、１または複数の乾電池（たとえば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）など）、太陽電池、燃料電池などを含む。
【００３０】
また、プロセッサ１１８は、ＷＴＲＵ１０２の現在位置に関する位置情報（たとえば、経度および緯度）を提供するように構成されるＧＰＳチップセット１３６に結合される。ＧＰＳチップセット１３６からの情報に加えて、またはその代わりに、ＷＴＲＵ１０２は、エアインターフェース１１５／１１６／１１７上で基地局（たとえば、基地局１１４ａ、１１４ｂ）から位置情報を受信し、および／または近くの２つ以上の基地局から受信される信号のタイミングに基づいてその位置を決定する。ＷＴＲＵ１０２は、一実施形態と一貫したまま任意の好適な位置決定方法により位置情報を獲得することを理解されたい。
【００３１】
さらに、プロセッサ１１８は他の周辺機器１３８に結合され、それらの周辺機器１３８は、追加の特徴、機能、および／または有線もしくは無線コネクティビティを提供する１または複数のソフトウェアおよび／またはハードウェアモジュールを含む。たとえば、周辺機器１３８は、加速度計、電子コンパス（ｅ−ｃｏｍｐａｓｓ）、衛星トランシーバ、デジタルカメラ（写真またはビデオ用）、ユニバーサルシリアルバス（ＵＳＢ）ポート、振動デバイス、テレビトランシーバ、ハンドフリー用ヘッドセット、Ｂｌｕｅｔｏｏｔｈ（登録商標）モジュール、周波数変換（ＦＭ）無線ユニット、デジタル音楽プレーヤ、メディアプレーヤ、ビデオゲームプレーヤモジュール、インターネットブラウザなどを含む。
【００３２】
図１Ｃは、一実施形態によるＲＡＮ１０３およびコアネットワーク１０６のシステム図である。上記で指摘したように、ＲＡＮ１０３は、ＵＴＲＡ無線技術を使用し、エアインターフェース１１５上でＷＴＲＵ１０２ａ、１０２ｂ、１０２ｃと通信する。また、ＲＡＮ１０３は、コアネットワーク１０６と通信する。図１Ｃに示されているように、ＲＡＮ１０３は、ノードＢ１４０ａ、１４０ｂ、１４０ｃを含み、ノードＢ１４０ａ、１４０ｂ、１４０ｃは、それぞれが、エアインターフェース１１５上でＷＴＲＵ１０２ａ、１０２ｂ、１０２ｃと通信するために１または複数のトランシーバを含む。ノードＢ１４０ａ、１４０ｂ、１４０ｃは、それぞれがＲＡＮ１０３内の特定のセル（図示せず）に関連付けられる。また、ＲＡＮ１０３は、ＲＮＣ１４２ａ、１４２ｂを含む。ＲＡＮ１０３は、一実施形態と一貫したまま任意の数のノードＢおよびＲＮＣを含むことを理解されたい。
【００３３】
図１Ｃに示されているように、ノードＢ１４０ａ、１４０ｂは、ＲＮＣ１４２ａと通信する。さらに、ノードＢ１４０ｃは、ＲＮＣ１４２ｂと通信する。ノードＢ１４０ａ、１４０ｂ、１４０ｃは、Ｉｕｂインターフェースを介して、それぞれのＲＮＣ１４２ａ、１４２ｂと通信する。ＲＮＣ１４２ａ、１４２ｂは、Ｉｕｒインターフェースを介して互いに通信する。ＲＮＣ１４２ａ、１４２ｂのそれぞれは、接続されているそれぞれのノードＢ１４０ａ、１４０ｂ、１４０ｃを制御するように構成される。さらに、ＲＮＣ１４２ａ、１４２ｂのそれぞれは、外部ループ電力制御、負荷制御、許可制御、パケットスケジューリング、ハンドオーバ制御、マクロダイバシティ、セキュリティ機能、データ暗号化など、他の機能を実施する、またはサポートするように構成される。
【００３４】
図１Ｃに示されているコアネットワーク１０６は、メディアゲートウェイ（ＭＧＷ）１４４、移動交換センタ（ＭＳＣ）１４６、サービングＧＰＲＳサポートノード（ＳＧＳＮ）１４８、および／またはゲートウェイＧＰＲＳサポートノード（ＧＧＳＮ）１５０を含む。前述の要素のそれぞれはコアネットワーク１０６の一部として示されているが、これらの要素のいずれか１つがコアネットワークオペレータ以外の企業体（ｅｎｔｉｔｙ）によって所有および／または運営されてもよいことを理解されたい。
【００３５】
ＲＡＮ１０３内のＲＮＣ１４２ａは、ＩｕＣＳインターフェースを介してコアネットワーク１０６内のＭＳＣ１４６に接続される。ＭＳＣ１４６は、ＭＧＷ１４４に接続される。ＭＳＣ１４６およびＭＧＷ１４４は、ＷＴＲＵ１０２ａ、１０２ｂ、１０２ｃにＰＳＴＮ１０８など回線交換ネットワークに対するアクセスを提供し、ＷＴＲＵ１０２ａ、１０２ｂ、１０２ｃと従来の陸線通信デバイスとの間の通信を円滑にする。
【００３６】
また、ＲＡＮ１０３内のＲＮＣ１４２ａは、ＩｕＰＳインターフェースを介してコアネットワーク１０６内のＳＧＳＮ１４８に接続される。ＳＧＳＮ１４８は、ＧＧＳＮ１５０に接続される。ＳＧＳＮ１４８およびＧＧＳＮ１５０は、ＷＴＲＵ１０２ａ、１０２ｂ、１０２ｃにインターネット１１０などパケット交換ネットワークに対するアクセスを提供し、ＷＴＲＵ１０２ａ、１０２ｂ、１０２ｃとＩＰ対応デバイスとの間の通信を円滑にする。
【００３７】
上記で指摘したように、コアネットワーク１０６はまた、他のサービスプロバイダによって所有および／または運営される他の有線もしくは無線ネットワークを含むネットワーク１１２に接続される。
【００３８】
図１Ｄは、一実施形態によるＲＡＮ１０４およびコアネットワーク１０７のシステム図である。上記で指摘したように、ＲＡＮ１０４は、Ｅ−ＵＴＲＡ無線技術を使用し、エアインターフェース１１６上でＷＴＲＵ１０２ａ、１０２ｂ、１０２ｃと通信する。また、ＲＡＮ１０４は、コアネットワーク１０７と通信する。
【００３９】
ＲＡＮ１０４は高度化ノードＢ１６０ａ、１６０ｂ、１６０ｃを含むが、ＲＡＮ１０４は一実施形態と一貫したまま任意の数の高度化ノードＢを含むことを理解されたい。高度化ノードＢ１６０ａ、１６０ｂ、１６０ｃは、それぞれが、エアインターフェース１１６上でＷＴＲＵ１０２ａ、１０２ｂ、１０２ｃと通信するために１または複数のトランシーバを含む。一実施形態では、高度化ノードＢ１６０ａ、１６０ｂ、１６０ｃは、ＭＩＭＯ技術を実装する。したがって、たとえば高度化ノードＢ１６０ａは、複数のアンテナを使用し、ＷＴＲＵ１０２ａに無線信号を送信し、ＷＴＲＵ１０２ａから無線信号を受信することができる。
【００４０】
高度化ノードＢ１６０ａ、１６０ｂ、１６０ｃのそれぞれは、特定のセル（図示せず）に関連付けられ、無線リソース管理判断、ハンドオーバ判断、アップリンクおよび／またはダウンリンクにおけるユーザのスケジューリングなどを処理するように構成される。図１Ｄに示されているように、高度化ノードＢ１６０ａ、１６０ｂ、１６０ｃは、Ｘ２インターフェースを介して互いに通信する。
【００４１】
図１Ｄに示されているコアネットワーク１０７は、無線通信移動管理装置（ＭＭＥ）１６２、サービングゲートウェイ１６４、およびパケットデータネットワーク（ＰＤＮ）ゲートウェイ１６６を含む。前述の要素のそれぞれはコアネットワーク１０７の一部として示されているが、これらの要素のいずれか１つがコアネットワークオペレータ以外の企業体によって所有および／または運営されてもよいことを理解されたい。
【００４２】
ＭＭＥ１６２は、Ｓ１インターフェースを介してＲＡＮ１０４内の高度化ノードＢ１６０ａ、１６０ｂ、１６０ｃのそれぞれに接続され、制御ノードとして働く。たとえば、ＭＭＥ１６２は、ＷＴＲＵ１０２ａ、１０２ｂ、１０２ｃのユーザを認証すること、ベアラのアクティブ化／非アクティブ化、ＷＴＲＵ１０２ａ、１０２ｂ、１０２ｃの最初のアタッチ中に特定のサービングゲートウェイを選択することなどの責任を担う。また、ＭＭＥ１６２は、ＲＡＮ１０４と、ＧＳＭまたはＷＣＤＭＡなど他の無線技術を使用する他のＲＡＮ（図示せず）との間で切り替えるための制御プレーン機能を提供する。
【００４３】
サービングゲートウェイ１６４は、Ｓ１インターフェースを介してＲＡＮ１０４内の高度化ノードＢ１６０ａ、１６０ｂ、１６０ｃのそれぞれに接続される。サービングゲートウェイ１６４は、一般に、ユーザデータパケットを、ＷＴＲＵ１０２ａ、１０２ｂ、１０２ｃへ／ＷＴＲＵ１０２ａ、１０２ｂ、１０２ｃから、ルーティングおよび転送する。また、サービングゲートウェイ１６４は、高度化ノードＢ間ハンドオーバ中にユーザプレーンをアンカリングすること、ＷＴＲＵ１０２ａ、１０２ｂ、１０２ｃにダウンリンクデータが使用可能であるときページングをトリガすること、およびＷＴＲＵ１０２ａ、１０２ｂ、１０２ｃのコンテキストを管理および記憶することなど、他の機能を実施する。
【００４４】
また、サービングゲートウェイ１６４はＰＤＮゲートウェイ１６６に接続され、ＰＤＮゲートウェイ１６６はＷＴＲＵ１０２ａ、１０２ｂ、１０２ｃにインターネット１１０などパケット交換ネットワークに対するアクセスを提供し、ＷＴＲＵ１０２ａ、１０２ｂ、１０２ｃとＩＰ対応デバイスとの間の通信を円滑にする。
【００４５】
コアネットワーク１０７は、他のネットワークとの通信を円滑にする。たとえば、コアネットワーク１０７は、ＷＴＲＵ１０２ａ、１０２ｂ、１０２ｃにＰＳＴＮ１０８など回線交換ネットワークに対するアクセスを提供し、ＷＴＲＵ１０２ａ、１０２ｂ、１０２ｃと従来の陸線通信デバイスとの間の通信を円滑にする。たとえば、コアネットワーク１０７は、コアネットワーク１０７とＰＳＴＮ１０８との間のインターフェースとして働くＩＰゲートウェイ（たとえば、ＩＰマルチメディアサブシステム（ＩＭＳ）サーバ）を含み、またはＩＰゲートウェイと通信する。さらに、コアネットワーク１０７は、他のサービスプロバイダによって所有および／または運営される他の有線もしくは無線ネットワークを含むネットワーク１１２に対するアクセスをＷＴＲＵ１０２ａ、１０２ｂ、１０２ｃに提供する。
【００４６】
図１Ｅは、一実施形態によるＲＡＮ１０５およびコアネットワーク１０９のシステム図である。ＲＡＮ１０５は、エアインターフェース１１７上でＷＴＲＵ１０２ａ、１０２ｂ、１０２ｃと通信するためにＩＥＥＥ８０２．１６無線技術を使用するアクセスサービスネットワーク（ＡＳＮ）である。下記でさらに論じるように、ＷＴＲＵ１０２ａ、１０２ｂ、１０２ｃ、ＲＡＮ１０５、およびコアネットワーク１０９の異なる機能エンティティ間の通信リンクが、参照ポイントとして定義される。
【００４７】
図１Ｅに示されているように、ＲＡＮ１０５は、基地局１８０ａ、１８０ｂ、１８０ｃ、およびＡＳＮゲートウェイ１８２を含むが、ＲＡＮ１０５は、一実施形態と一貫したまま任意の数のノードＢおよびＲＮＣを含むことを理解されたい。基地局１８０ａ、１８０ｂ、１８０ｃは、それぞれがＲＡＮ１０５内の特定のセル（図示せず）に関連付けられ、それぞれが、エアインターフェース１１７上でＷＴＲＵ１０２ａ、１０２ｂ、１０２ｃと通信するために１つまたは複数のトランシーバを含む。一実施形態では、基地局１８０ａ、１８０ｂ、１８０ｃは、ＭＩＭＯ技術を実装する。したがって、たとえば基地局１８０ａは、複数のアンテナを使用し、ＷＴＲＵ１０２ａに無線信号を送信し、ＷＴＲＵ１０２ａから無線信号を受信することができる。また、基地局１８０ａ、１８０ｂ、１８０ｃは、ハンドオフのトリガ、トンネル確立、無線リソース管理、トラフィック分類、サービス品質（ＱｏＳ）ポリシ施行など、移動管理機能を提供する。ＡＳＮゲートウェイ１８２は、トラフィック集約ポイントとして働き、ページング、加入者プロファイルのキャッシング、コアネットワーク１０９へのルーティングなどの責任を担う。
【００４８】
ＷＴＲＵ１０２ａ、１０２ｂ、１０２ｃとＲＡＮ１０５との間のエアインターフェース１１７は、ＩＥＥＥ８０２．１６仕様を実装するＲ１参照ポイントとして定義される。さらに、ＷＴＲＵ１０２ａ、１０２ｂ、１０２ｃのそれぞれは、コアネットワーク１０９との論理インターフェース（図示せず）を確立する。ＷＴＲＵ１０２ａ、１０２ｂ、１０２ｃとコアネットワーク１０９との間の論理インターフェースは、Ｒ２参照ポイントとして定義され、認証、許可、ＩＰホスト構成管理、および／または移動管理のために使用される。
【００４９】
基地局１８０ａ、１８０ｂ、１８０ｃのそれぞれの間の通信リンクは、ＷＴＲＵハンドオーバおよび基地局間のデータの転送を円滑にするためのプロトコルを含むＲ８参照ポイントとして定義される。基地局１８０ａ、１８０ｂ、１８０ｃとＡＳＮゲートウェイ１８２との間の通信リンクは、Ｒ６参照ポイントとして定義される。Ｒ６参照ポイントは、ＷＴＲＵ１０２ａ、１０２ｂ、１０２ｃのそれぞれに関連する移動イベントに基づいて移動管理を円滑にするためのプロトコルを含む。
【００５０】
図１Ｅに示されているように、ＲＡＮ１０５は、コアネットワーク１０９に接続される。ＲＡＮ１０５とコアネットワーク１０９との間の通信リンクは、たとえばデータ転送および移動管理機能を円滑にするためのプロトコルを含むＲ３参照ポイントとして定義される。コアネットワーク１０９は、移動ＩＰホームエージェント（ＭＩＰ−ＨＡ）１８４と、認証、許可、アカウンティング（ＡＡＡ）サーバ１８６と、ゲートウェイ１８８とを含む。前述の要素のそれぞれはコアネットワーク１０９の一部として示されているが、これらの要素のいずれか１つがコアネットワークオペレータ以外の企業体によって所有および／または運営されてもよいことを理解されたい。
【００５１】
ＭＩＰ−ＨＡは、ＩＰアドレス管理の責任を担い、ＷＴＲＵ１０２ａ、１０２ｂ、１０２ｃが、異なるＡＳＮおよび／または異なるコアネットワーク間でローミングすることを可能にする。ＭＩＰ−ＨＡ１８４は、ＷＴＲＵ１０２ａ、１０２ｂ、１０２ｃにインターネット１１０などパケット交換ネットワークに対するアクセスを提供し、ＷＴＲＵ１０２ａ、１０２ｂ、１０２ｃとＩＰ対応デバイスとの間の通信を円滑にする。ＡＡＡサーバ１８６は、ユーザ認証、およびユーザサービスをサポートすることの責任を担う。ゲートウェイ１８８は、他のネットワークとの網間接続を円滑にする。たとえば、ゲートウェイ１８８は、ＷＴＲＵ１０２ａ、１０２ｂ、１０２ｃにＰＳＴＮ１０８など回線交換ネットワークに対するアクセスを提供し、ＷＴＲＵ１０２ａ、１０２ｂ、１０２ｃと従来の陸線通信デバイスとの間の通信を円滑にする。さらに、ゲートウェイ１８８は、他のサービスプロバイダによって所有および／または運営される他の有線もしくは無線ネットワークを含むネットワーク１１２に対するアクセスを、ＷＴＲＵ１０２ａ、１０２ｂ、１０２ｃに提供する。
【００５２】
図１Ｅには示されていないが、ＲＡＮ１０５は他のＡＳＮに接続され、コアネットワーク１０９は他のコアネットワークに接続されることを理解されたい。ＲＡＮ１０５と他のＡＳＮとの間の通信リンクは、ＲＡＮ１０５と他のＡＳＮとの間でのＷＴＲＵ１０２ａ、１０２ｂ、１０２ｃの移動を調整するためのプロトコルを含むＲ４参照ポイントとして定義される。コアネットワーク１０９と他のコアネットワークとの間の通信リンクは、ホームコアネットワークと訪問を受けるコアネットワークとの間の網間接続を円滑にするためのプロトコルを含むＲ５参照ポイントとして定義される。
【００５３】
ＵＭＴＳ  ＷＣＤＭＡ仕様の諸バージョンは、これらの仕様が単一ストリーム動作に関連するので、アップリンクでの複数ストリーム動作のための（たとえば、Ｅ−ＤＣＨ動作のための）手段を提供しない。ＭＩＭＯシステムでは、各レイヤまたはストリームの質は、チャネル実現に応じてサブフレームごとに異なる。チャネルに関する情報（たとえば、チャネル状態情報−ＣＳＩ）は、チャネル推定を介して受信機、たとえばノードＢで使用可能である。ＷＴＲＵは、たとえばデュアルレイヤ送信を利用するために、チャネル条件に従ってその伝送速度および／または電力を適合させる。ＣＳＩはノードＢにあるので、ＷＴＲＵ送信パラメータをデュアルストリーム動作に関して制御するための機構が提供される。
【００５４】
ＷＴＲＵランク、２次ストリームデータ転送速度、および／または電力を制御するシステム、方法、および手段が開示される。これらは、デュアルトランスポートブロック動作の状況で述べられるが、これらの方法は、シングルトランスポートブロック動作に適用可能である。
【００５５】
デュアルストリーム動作用に構成されたＷＴＲＵの送信パラメータを制御することが開示される。デュアルストリーム動作送信パラメータは、それだけには限らないが、ランク、２次ストリーム電力、２次ストリーム電力オフセット、２次ストリーム速度などのうちの１または複数を指す。
【００５６】
ＷＴＲＵは、（たとえば、送信ランクインジケーションを介して）特定の送信ランクで半静的または動的に構成される。送信ランクは、ＷＴＲＵによって使用されるＭＩＭＯレイヤの数に対応する。ランクは、たとえば送信するためにＷＴＲＵにその値を強制的に使用させる絶対ランクであっても、特定の条件下でＷＴＲＵがより低いランクを使用するような最大許容ランクを表してもよい。
【００５７】
ＷＴＲＵがノードＢから送信ランクインジケーション（ＴＲＩ）を受信するためのシステム、方法、および手段が開示される。ＴＲＩは、ＷＴＲＵの送信ランクを制御する。ＷＴＲＵは、周期的なＴＲＩをそのＥ−ＤＣＨサービングセル（たとえば、Ｅ−ＤＣＨを制御するノードＢ）から受信するように構成される。ＷＴＲＵは、たとえば物理レイヤチャネルから送信ランクインジケーションを周期的に受信する。
【００５８】
ＷＴＲＵは、新しい物理チャネルを介して周期的な送信ランクインジケーションを受信する。たとえば、ＷＴＲＵは、たとえばＦ−ＤＰＣＨまたはＦ−ＴＰＩＣＨに基づいて物理チャネルを介して送信ランクインジケーション（ＴＲＩ）を受信する。ＷＴＲＵは、Ｅ−ＨＩＣＨ／Ｅ−ＲＧＣＨ構造に基づいて物理チャネルを介して周期的な送信ランクインジケーションを受信する。
【００５９】
ＷＴＲＵは、周期性を制御するパラメータ、たとえば、周期性、送信スケジュール、または物理チャネルリソース（たとえば、チャネル化コード、シンボル、オフセット、シグネチャなど）のうちの１または複数を制御するパラメータで（たとえば、ノードＢを介して）ネットワークによって構成される。
【００６０】
ＷＴＲＵは、非周期的な送信ランクインジケーションをそのＥ−ＤＣＨサービングセルから受信するように構成される。送信ランクインジケーションは、専用の物理チャネルを介してＷＴＲＵによって受信される。たとえば、ＷＴＲＵは、Ｅ−ＲＧＣＨ／Ｅ−ＨＩＣＨ  ｌｉｋｅチャネルを監視するように構成される。ＷＴＲＵは、構成されたリソース上に送信ランクインジケーションがあることを検出し、次いで送信パラメータを適用する。
【００６１】
ＷＴＲＵは、非サービングセルから送信ランクインジケーションを受信するように構成される。そのような場合、ＷＴＲＵは、「ランク１」インジケーションを受信するための構成に制限される。この手法は、非サービングセルが、隣接セルによって制御されるＷＴＲＵから受ける干渉の量を制御することを可能にする。
【００６２】
送信ランクインジケーション（ＴＲＩ）は、共有チャネルを介してＷＴＲＵによって受信される。たとえば、ＷＴＲＵは、修正されたＥ−ＡＧＣＨを介して、またはＥ−ＡＧＣＨ−ｌｉｋｅチャネル（たとえば、Ｅ−ＡＧＣＨと同様の新しいチャネルであり、たとえば、Ｅ−ＡＧＣＨ−ｌｉｋｅチャネルは、Ｅ−ＡＧＣＨのチャネル構造と同様のＥ−ＡＧＣＨ−ｌｉｋｅチャネル構造を有する）を介して送信ランクインジケーションを受信する。Ｅ−ＡＧＣＨ−ｌｉｋｅチャネルは、デュアルストリーム送信用に制御情報を送信するために使用される。たとえば、ＷＴＲＵは、たとえばＥ−ＡＧＣＨ−ｌｉｋｅチャネル構造を使用するＥ−ＡＧＣＨ−ｌｉｋｅチャネルを介して送信ランクインジケーションを受信する。Ｅ−ＡＧＣＨ−ｌｉｋｅチャネルは、Ｅ−ＲＯＣＨであってもよい。Ｅ−ＲＯＣＨは、デュアルストリーム送信用に送信ランクインジケーションおよび／またはオフセット情報をＷＴＲＵに送信するために使用される。
【００６３】
Ｅ−ＡＧＣＨ−ｌｉｋｅチャネル構造は、Ｅ−ＡＧＣＨの構造と同様である。たとえば、Ｅ−ＡＧＣＨ−ｌｉｋｅチャネルの符号化は、Ｅ−ＡＧＣＨ符号化に関連する。Ｅ−ＡＧＣＨ−ｌｉｋｅチャネルは、Ｅ−ＡＧＣＨのチャネルと同様の符号化構造を有する。たとえば、Ｅ−ＡＧＣＨ−ｌｉｋｅチャネルは、Ｅ−ＡＧＣＨと同様の符号化チェーン（たとえば、同じ数のビットなど）を有するが、フィールドは異なる。Ｅ−ＡＧＣＨ−ｌｉｋｅチャネルのフィールドは、それだけには限らないが、送信ランクインジケータ、２次ストリーム電力、２次ストリーム電力オフセット、２次ストリーム速度など、２次ストリームパラメータを含む。
【００６４】
Ｅ−ＡＧＣＨ−ｌｉｋｅチャネル構造は、Ｅ−ＡＧＣＨの構造と同様である。たとえば、Ｅ−ＡＧＣＨ−ｌｉｋｅチャネルは、Ｅ−ＡＧＣＨと同様の符号化手順を使用して符号化される。Ｅ−ＡＧＣＨ−ｌｉｋｅチャネルのフィールド内の情報ビットが多重化される。ＣＲＣが計算され、データに添付される（たとえば、多重化後）。さらに、ＣＲＣは、専用Ｅ−ＲＮＴＩ値でマスクされる（または排他的論理和される）。結果は、符号化率１／３の畳み込みエンコーダを使用して符号化され、Ｅ−ＡＧＣＨ−ｌｉｋｅチャネルに関連するビットの数にレートマッチングされる（たとえば、一部の符号化済みのビットはパンクチャされ、又は送信されない）。得られる符号化済みのビットが送信される。ＷＴＲＵは、Ｅ−ＡＧＣＨ−ｌｉｋｅチャネルを復号するように構成され、この復号は、逆の手順、またはＥ−ＡＧＣＨチャネルの復号に関連する手順と同様の手順に従う。
【００６５】
ＷＴＲＵは、Ｅ−ＡＧＣＨ−ｌｉｋｅチャネルから送信ランクインジケーションを受信する。ＷＴＲＵは、Ｅ−ＡＧＣＨ−ｌｉｋｅチャネルを（たとえば、構成されたコード上で）監視する。ＷＴＲＵは、Ｅ−ＡＧＣＨ−ｌｉｋｅチャネルを復号し、たとえばデュアルストリーム送信の２次ストリームについて送信ランクインジケーションおよび／またはオフセット情報を決定する。ＷＴＲＵは、たとえばＥ−ＡＧＣＨ−ｌｉｋｅチャネル上でその識別（たとえば、Ｅ−ＲＮＴＩ、専用Ｅ−ＲＮＴＩ、または他の構成された識別）を検出したとき、復号された送信ランクインジケーションおよび／またはオフセット情報を適用する。
【００６６】
オフセットは、デュアルストリーム送信の２次ストリームについての２次ストリームオフセットを指す。たとえば、オフセットは、デュアルストリーム送信の２次ストリームのトランスポートブロックサイズ（ＴＢＳ）に関連する。オフセットは、デュアルストリーム送信の２次ストリームＥ−ＤＰＤＣＨのサービンググラントまたは電力オフセットに関連する。ＷＴＲＵは、Ｅ−ＡＧＣＨ−ｌｉｋｅチャネルを介して２次ストリームオフセットを受信する。ＷＴＲＵは、２次ストリームオフセットを使用してデュアルストリーム送信の２次ストリーム上で送られるデータの量を変更する。たとえば、ＷＴＲＵは、（たとえば、サービンググラントとは独立して）２次ストリームを介して送信されるビットの数を増大または減少させる。２次ストリームオフセットを使用し、たとえば２次ストリーム劣化を補償する。
【００６７】
送信ランクインジケーションは、拡張されたＥ−ＡＧＣＨチャネル上で担持される。追加のＴＲＩフィールドが、Ｅ−ＡＧＣＨの他のフィールドと共に多重化される。図２は、ＴＲＩを伴う例示的な、拡張されたＥ−ＡＧＣＨ符号化を示す。
【００６８】
追加のパンクチャリング（ｐｕｎｃｔｕｒｉｎｇ）が、たとえば追加の制御チャネル負荷を調節するために、レートマッチングブロック内で実施される。図２の例では、追加の制御ビットが、パンクチャすべき余分な３つの符号化されたビットに通ずる。パンクチャすべき実際の符号化されたビットは、たとえばシミュレーションを介して決定される。ＷＴＲＵは、新しいパンクチャリングおよび新しいＴＲＩフィールドを考慮することによって、拡張されたＥ−ＡＧＣＨを復号する。
【００６９】
ＷＴＲＵは、Ｅ−ＡＧＣＨのフィールドを再解釈し（たとえば、それにより修正されたＥ−ＡＧＣＨを確立し）、送信ランクインジケーションの値を決定する。修正されたＥ−ＡＧＣＨはＥ−ＡＧＣＨを含むが、ＷＴＲＵは、修正されたＥ−ＡＧＣＨのビットを異なるように解釈する。ＷＴＲＵは、たとえばＷＴＲＵの構成に従って、Ｅ−ＡＧＣＨを修正されたＥ−ＡＧＣＨから区別する（たとえば、ＷＴＲＵがＵＬ  ＭＩＭＯ動作用に構成されるとき、ＷＴＲＵはＥ−ＡＧＣＨのフィールドを修正されたＥ−ＡＧＣＨのものとして解釈する）。Ｅ−ＡＧＣＨのフィールドを再解釈し送信ランクインジケーションの値を決定することは、たとえば以下の１または複数を使用して行うことができる。
【００７０】
ＷＴＲＵは、ＵＬ  ＭＩＭＯ動作が構成されるとき、固定された絶対グラント範囲で構成される。絶対グラント範囲の値は、ネットワークによって構成されても、仕様で（たとえば、「ＨＡＲＱごとのプロセス」または「すべてのＨＡＲＱプロセス」に）固定されてもよい。ＷＴＲＵは、拡張されたＥ−ＡＧＣＨ内の「絶対グラント範囲」ビットの値を、明示的な送信ランクインジケーション（ＴＲＩ）として再解釈するようにさらに構成される。
【００７１】
ＷＴＲＵは、新しい特別な値（たとえば、ＲＡＮＫ  ＣＯＮＴＲＯＬ（ランク制御））を含む新しい絶対グラントマッピングテーブルで構成される。絶対グラントについてＲＡＮＫ  ＣＯＮＴＲＯＬ値を受信したとき、ＷＴＲＵは、「絶対グラント範囲」フィールド内に担持された値を明示的なＴＲＩとして解釈する。
【００７２】
ＷＴＲＵは、各エントリがランクに関連付けられる絶対グラントマッピングテーブルで構成される。ＷＴＲＵは、修正されたＥ−ＡＧＣＨを受信したとき、テーブル内で、絶対グラント値インデックスによって示された行を見ることによって、ランクの値を導出する。表１は、この概念を示す例であり、ランクを示す新しい行が絶対グラント値のマッピングテーブルに追加されている（たとえば、表１内のエントリの値および数は例である）。
【００７３】
【表１】
2015507435.tif 000003
【００７４】
【表２】
2015507435.tif 000004
【００７５】
ＷＴＲＵは、より大きな絶対グラント値が、異なるランク値で繰り返される表２に示されているものと同様の絶対グラント値テーブルで構成されてもよい。この手法は、ネットワークが同じグラントで、しかし異なるランクでＷＴＲＵを構成することを可能にする。
【００７６】
【表３】
2015507435.tif 000005
【００７７】
【表４】
2015507435.tif 000006
【００７８】
ＷＴＲＵは、絶対グラントのための閾値で構成される。ＷＴＲＵが閾値未満の絶対グラント値インデックスを受信したとき、ＷＴＲＵはランク１を想定し、そうでない場合（たとえば、ＷＴＲＵが閾値以上の絶対グラント値インデックスを受信したとき）、ＷＴＲＵはランク２を想定する。
【００７９】
ＷＴＲＵは、たとえば２次ストリーム制御のために、専用Ｅ−ＲＮＴＩで構成される。たとえば、ＷＴＲＵは、専用Ｅ−ＲＮＴＩを受信する。専用Ｅ−ＲＮＴＩは、Ｅ−ＡＧＣＨ−ｌｉｋｅチャネルに関連付けられる。たとえば、専用Ｅ−ＲＮＴＩは、Ｅ−ＡＧＣＨ−ｌｉｋｅチャネルに関連付けられ、一方、Ｅ−ＲＮＴＩは、Ｅ−ＡＧＣＨに関連付けられる。本明細書に記載のように、Ｅ−ＡＧＣＨ−ｌｉｋｅチャネルは、（たとえば、おそらくは他のデュアルストリーム動作送信パラメータに加えて）送信ランクインジケーションおよび／または２次ストリーム電力オフセットに関連付けられる。ＷＴＲＵは、Ｅ−ＡＧＣＨ−ｌｉｋｅチャネルを受信し、（たとえば、Ｅ−ＡＧＣＨ−ｌｉｋｅチャネルを復号することによって）Ｅ−ＡＧＣＨ−ｌｉｋｅチャネルが専用Ｅ−ＲＮＴＩに関連付けられていると決定する。たとえば、Ｅ−ＡＧＣＨ−ｌｉｋｅチャネルを受信したとき、ＷＴＲＵは、Ｅ−ＡＧＣＨ−ｌｉｋｅチャネルを復号する。Ｅ−ＡＧＣＨ−ｌｉｋｅチャネルを復号した後、ＷＴＲＵは、（たとえば、専用Ｅ−ＲＮＴＩを利用して）復号されたＥ−ＡＧＣＨ−ｌｉｋｅチャネルに対して巡回冗長検査（ＣＲＣ）を実施し、復号されたチャネルが実際にＥ−ＡＧＣＨ−ｌｉｋｅチャネルであることを確認する。ＷＴＲＵは、たとえばＥ−ＡＧＣＨ−ｌｉｋｅチャネルが専用Ｅ−ＲＮＴＩに関連付けられていると決定したとき、送信ランクインジケーションおよび／または２次ストリーム電力オフセットを決定する。ＷＴＲＵは、送信ランクインジケーションおよび／または２次ストリーム電力オフセットを適用する（たとえば、それらで構成される）。
【００８０】
専用Ｅ−ＲＮＴＩは、たとえばＲＲＣ構成を介して、Ｅ−ＡＧＣＨ−ｌｉｋｅチャネルに関連付けられた識別を含む。たとえば、ＷＴＲＵは、たとえば、Ｅ−ＡＧＣＨ−ｌｉｋｅチャネル関連のチャネル化コード（たとえば「チャネル化コード」ＩＥ）およびＥ−ＡＧＣＨ−ｌｉｋｅチャネルＥ−ＲＮＴＩ（たとえば「Ｅ−ＲＯＣＨ  Ｅ−ＲＮＴＩ」ＩＥ）を含む、Ｅ−ＡＧＣＨ−ｌｉｋｅチャネルのための構成を、（ＲＲＣ上の情報要素（ＩＥ）（たとえば「Ｅ−ＲＯＣＨ  Ｉｎｆｏ  ＦＤＤ」ＩＥ）を介して）受信する。専用Ｅ−ＲＮＴＩ（たとえば、Ｅ−ＡＧＣＨ−ｌｉｋｅチャネルＥ−ＲＮＴＩ）は、他のＥ−ＲＮＴＩ（たとえば、「新しい１次Ｅ−ＲＮＴＩ（Ｎｅｗ  Ｐｒｉｍａｒｙ  Ｅ−ＲＮＴＩ）」ＩＥおよび「新しい２次Ｅ−ＲＮＴＩ（Ｎｅｗ  Ｓｅｃｏｎｄａｒｙ  Ｅ−ＲＮＴＩ）」ＩＥ）とは異なる値を取り、その場合には、たとえば、Ｅ−ＡＧＣＨ−ｌｉｋｅチャネル関連のチャネル化コードは、Ｅ−ＡＧＣＨチャネル化コードと同じである。専用Ｅ−ＲＮＴＩ（たとえば、Ｅ−ＡＧＣＨ−ｌｉｋｅチャネルＥ−ＲＮＴＩ）は、別のＥ−ＲＮＴＩ（たとえば、「新しい１次Ｅ−ＲＮＴＩ」ＩＥまたは「新しい２次Ｅ−ＲＮＴＩ」ＩＥ）と同じ値を取ってもよく、その場合には、たとえば、Ｅ−ＡＧＣＨ−ｌｉｋｅチャネル関連のチャネル化コードは、Ｅ−ＡＧＣＨチャネル化コードとは異なる。
【００８１】
Ｅ−ＡＧＣＨ−ｌｉｋｅチャネルに関連付けられた専用Ｅ−ＲＮＴＩを検出するとき、ＷＴＲＵは、Ｅ−ＡＧＣＨ−ｌｉｋｅチャネルが２次ストリームを制御すると決定し、それに応じて（たとえば、新しいフォーマットまたは新しいフィールドに従って）Ｅ−ＡＧＣＨ−ｌｉｋｅチャネルを復号する。このチャネルは、Ｅ−ＤＣＨ２次制御チャネル（Ｅ−ＳＣＣＨ）と呼ばれるが、そのような名前に限定されない。Ｅ−ＳＣＣＨ内の専用フィールドを使用し、ＴＲＩを担持する。ＷＴＲＵは、Ｅ−ＳＣＣＨを受信し、次いで受信されたＴＲＩを適用する。
【００８２】
暗黙のランクインジケーションおよび／または決定のためのシステム、方法、および手段が開示される。暗黙のランク決定のために、ＷＴＲＵは、（たとえばノードＢからのインジケーションを介して）たとえば送信ランクが１から２に変化したときスタートされるランク制御タイマで構成される。タイマが満了したとき、ＷＴＲＵは、たとえばランク１送信に戻る。高レベルでは、これは構成要素、すなわちタイマをスタートするためのトリガ、タイマをリセットするためのトリガ、早期にタイマを終了するためのトリガ、およびタイマが満了または終了したときのアクション、によって特徴付けられる。これらの構成要素の例は、以下の１または複数を含む。
【００８３】
タイマをスタートするための例示的なトリガは、以下の１または複数を含む。ＷＴＲＵは、明示的な送信ランクインジケーションを受信する。ＷＴＲＵは、ランクを１から２に変更する明示的な送信ランクインジケーションを受信する。ＷＴＲＵは、新しいランクが２であると決定し、送信ランクを１から２に自律的に変更する。ＷＴＲＵは、（たとえば、Ｌ１共有チャネルの上で、またはＬ２の上でシグナリングされる）非周期的な送信ランクインジケーションを受信する。ＷＴＲＵは、ランクを１から２に変更する（たとえば、Ｌ１共有チャネルの上で、またはＬ２の上でシグナリングされる）非周期的な送信ランクインジケーションを受信する。
【００８４】
タイマをリセットする（たとえば継続する）ための例示的なトリガは、以下の１または複数を含む。ＷＴＲＵは、ランク２を使用して送信する。ＷＴＲＵは、インジケーションを受信し、ランク２送信を継続する。
【００８５】
早期に終了するための例示的なトリガ（たとえば、ＷＴＲＵはタイマをさらに停止しおよびリセットする）は、以下の１または複数を含む。ＷＴＲＵは、ランク２送信用に構成されるが、（たとえば、バッファのために）ランク１で送信する。ＷＴＲＵバッファが空になる。ＷＴＲＵは、Ｅ−ＤＣＨの送信を停止する（たとえば、バッファが空である）。ＷＴＲＵは、もはやランク２送信を可能にしないグラントを受信する。
【００８６】
タイマが満了または早期に終了したときの例示的なアクションは、以下の１または複数を含む。ＷＴＲＵは、タイマを停止しリセットする。ＷＴＲＵは、送信ランク１に戻る。ＷＴＲＵは、送信ランクの変更をネットワークに示す。
【００８７】
ＷＴＲＵは、たとえばＲＲＣシグナリングを介して、タイマのための値で構成される。タイマは、構成された値で初期化される。ＷＴＲＵが構成されたトリガの１つを検出したとき、ＷＴＲＵはタイマをスタートする。図３は、ランク制御タイマの一例を示し、これは、トリガとＷＴＲＵアクションとの関係の一例を提供する。
【００８８】
動的な２次ストリーム速度および電力のためのシステム、方法、および手段が開示される。ＷＴＲＵがＵＬ  ＭＩＭＯ動作用に構成されるとき、Ｅ−ＤＣＨを制御することについて述べる。ＷＴＲＵサービンググラントは、絶対グラントと相対グラントの組合せを介してネットワークによって制御される。相対グラントはＬ１専用チャネル（たとえば、Ｅ−ＲＧＣＨ）を使用して送られるが、絶対グラント、および関連の制御は、共有チャネル、たとえばＥ−ＡＧＣＨを使用して送られる。Ｅ−ＤＣＨにおけるＷＴＲＵは、Ｅ−ＡＧＣＨを監視するように構成される。ＷＴＲＵがＥ−ＡＧＣＨ上で構成されたＥ−ＲＮＴＩの１つを検出したとき、ＷＴＲＵは、規則の特定のセット（たとえば、２５．３２１  ｖｌ０．５．０内のセクション１１．８．１．３）に従って、関連の制御メッセージを適用する。ＷＴＲＵは、１次Ｅ−ＲＮＴＩを求めて監視するように構成され、また２次Ｅ−ＲＮＴＩを求めて監視するように構成されてもよい。それを行うように構成される場合、ＷＴＲＵは、（たとえば、１次Ｅ−ＲＮＴＩによって制御される）１次サービンググラント、および（たとえば、２次Ｅ−ＲＮＴＩによって制御される）２次サービンググラントを維持する。サービンググラント、ＨＡＲＱプロセスアクティブ化などのための規則は、１次Ｅ−ＲＮＴＩと２次Ｅ−ＲＮＴＩとについて異なる。ネットワークは、たとえば高負荷状況においてそのＷＴＲＵのための送信を最適化するために、１次Ｅ−ＲＮＴＩおよび関連のグラントを使用し、一度に１つのＷＴＲＵを制御する。ネットワークは、２次Ｅ−ＲＮＴＩを使用し、ＷＴＲＵのグループを制御する（たとえば、その場合、２次Ｅ−ＲＮＴＩは、ＷＴＲＵのグループに共通である）。
【００８９】
ＷＴＲＵは、２つの動作状態の１つで構成される。第１の状態では、ＷＴＲＵは「１次」サービンググラントを適用し、第２の状態では、ＷＴＲＵは「２次」サービンググラントを適用する。仕様は、一方の状態から他方に変更するためのシグナリングおよび規則を提供する。
【００９０】
ＵＬ  ＭＩＭＯまたはデュアルストリーム動作の状況では、ネットワークは、全体の干渉を制御するために（たとえば、サービンググラントを介して）全体のＷＴＲＵ送信電力を制御し、また変化するチャネル条件に適応するために、電力およびデータ速度などＷＴＲＵ２次ストリームパラメータを制御する。ネットワークは、デュアルストリーム動作送信パラメータを制御する。
【００９１】
デュアルストリームＥ−ＤＣＨ状態動作のためのシステム、方法、および手段が開示される。デュアルストリーム動作送信パラメータを制御するために、ＷＴＲＵがデュアルストリーム動作またはＵＬ  ＭＩＭＯ動作で構成されるとき、Ｅ−ＤＣＨは新しい状態で動作される。図４は、例示的なＷＴＲＵ  Ｅ−ＤＣＨ動作状態図を提供し、状態Ａおよび状態Ｂはそれぞれ１次グラント動作および２次グラント動作のための従来のＥ−ＤＣＨ状態に対応し、状態Ｃはデュアルストリーム動作のための新しい状態である。図４では、一方の状態から他方への遷移が、「ソース状態（Ｓｏｕｒｃｅ  ｓｔａｔｅ）−デスティネーション状態（Ｄｅｓｔｉｎａｔｉｏｎ  ｓｔａｔｅ）」という用語で標示されている。
【００９２】
ＷＴＲＵが一方の状態から他方に遷移するためのトリガについて述べ、これらのトリガは他のＷＴＲＵ関連のアクションを含む。説明を簡単にするために、トリガは特定の状態遷移の状況で述べられることに留意されたい。しかし、これらのトリガは他の状態遷移に当てはまることを理解されたい。
【００９３】
状態Ｃへの遷移、たとえばデュアルストリーム動作に入ることが開示される。例示的な遷移が、図４に、たとえばＡ−ＣおよびＢ−Ｃが示されている。状態Ａおよび状態Ｂからの遷移について説明が提供されているが、ＷＴＲＵは、ＷＴＲＵがそれらの状態の１つにあるとき一部のトリガが制限されるように構成されてもよい。
【００９４】
ＷＴＲＵは、（たとえば、ＷＴＲＵがすでにＵＬ  ＭＩＭＯ動作用に構成されていると仮定する）サービングノードＢからインジケーションを受信したとき、デュアルストリーム動作状態、たとえば状態Ｃに遷移するように構成される。
【００９５】
ＷＴＲＵは、「３次Ｅ−ＲＮＴＩ（Ｔｅｒｔｉａｒｙ  Ｅ−ＲＮＴＩ）」でより高いレイヤによって（たとえば最初に）構成されてもよい。「３次Ｅ−ＲＮＴＩ」は、デュアルストリーム動作の制御に使用される。ＷＴＲＵは、Ｅ−ＡＧＣＨ上で「３次Ｅ−ＲＮＴＩ」を受信する。ＷＴＲＵがＥ−ＡＧＣＨ上でその「３次Ｅ−ＲＮＴＩ」を復号したとき、ＷＴＲＵは、状態Ｃに遷移する。ＷＴＲＵがそのＥ−ＡＧＣＨ−ｌｉｋｅＥ−ＲＮＴＩ（たとえば、または専用Ｅ−ＲＮＴＩまたはＥ−ＲＯＣＨ  Ｅ−ＲＮＴＩ）を復号したとき、ＷＴＲＵは、状態Ｃに遷移する。
【００９６】
ＷＴＲＵは、監視するために第２のＥ−ＡＧＣＨチャネル化コードで、または、２次ストリームの制御用におよびたとえばＥ−ＡＧＣＨ（たとえば、Ｅ−ＡＧＣＨ−ｌｉｋｅチャネルもしくはＥ−ＲＯＣＨ）に基づいて設計された代替の（たとえば、新しい）共有チャネルで、構成される。ＷＴＲＵは、この追加の共有チャネルを監視する。ＷＴＲＵがたとえばこのチャネル上でそのＥ−ＲＮＴＩ（たとえば、「１次Ｅ−ＲＮＴＩ」「２次Ｅ−ＲＮＴＩ」または「３次Ｅ−ＲＮＴＩ」）を検出したとき、ＷＴＲＵは状態Ｃに遷移する。
【００９７】
ＷＴＲＵは、Ｅ−ＡＧＣＨ上でＥ−ＲＮＴＩ、絶対グラント範囲、および絶対グラント値の特別な組合せを受信したとき、状態Ｃに遷移するように構成されてもよい。たとえば、ＷＴＲＵは、予約された値（たとえば、「ＵＬ−ＭＩＭＯ」）を含む新しい絶対グラント値テーブルで構成される。ＷＴＲＵがＥ−ＡＧＣＨ上でそのＥ−ＲＮＴＩ（たとえば、１次Ｅ−ＲＮＴＩまたは２次Ｅ−ＲＮＴＩ）を検出し、絶対グラント値がＵＬ−ＭＩＭＯに等しいとき、ＷＴＲＵは、状態Ｃに遷移する。ＷＴＲＵは、絶対グラント範囲のための特定の値（たとえば、「ＨＡＲＱごとのプロセス」または「すべてのＨＡＲＱプロセス」）をも受信したとき、状態Ｃに遷移するように構成されてもよい。
【００９８】
状態Ｃに遷移するための追加の規則および条件が定義され、単独で、または本明細書に開示されている他の規則との組合せで実装されてもよい。以下は例である。
【００９９】
ＷＴＲＵは、特定の状態、たとえば状態Ａから状態Ｃへの遷移に制限されるように構成されてもよい。ＷＴＲＵは、「Ｐｒｉｍａｒｙ＿Ｇｒａｎｔ＿Ａｖａｉｌａｂｌｅ」変数が「真」に設定されているとき、状態Ｃへの遷移に制限されるように構成される。
【０１００】
状態Ｃに遷移したとき、ＷＴＲＵは、以下のアクションの１または複数を実施する。ＷＴＲＵは、状態Ｃのためにタイマをリセットしスタートする。ＷＴＲＵは、タイマが満了したとき、以前の状態に戻る。ＷＴＲＵは、Ｅ−ＡＧＣＨ上で担持される制御情報（たとえば、デュアルストリーム動作送信パラメータ）を適用する。ＷＴＲＵは、トータルサービンググラントおよび２次ストリーム電力オフセットまたはグラントの、最後に受信されたまたは最後に保存された値を使用する。ＷＴＲＵは、そのランクを２に変更する。ＷＴＲＵは、デフォルトの、または予め構成されたデュアルストリーム動作送信パラメータを適用する。
【０１０１】
デュアルストリーム動作からの遷移が開示される。第１の方法では、ＷＴＲＵは、サービングノードＢから明示的なインジケーションを受信したとき、デュアルストリーム動作から出るように構成される（状態Ｃから状態Ａまたは状態Ｂ）。
【０１０２】
ＷＴＲＵは、Ｅ−ＡＧＣＨ上でＷＴＲＵ「１次Ｅ−ＲＮＴＩ」を受信したとき状態Ａに遷移するように構成される。ＷＴＲＵは、Ｅ−ＡＧＣＨ上のＷＴＲＵ  １次Ｅ−ＲＮＴＩに加えて、絶対グラント値の値が「ＩＮＡＣＴＩＶＥ（非アクティブ）」とは異なっており、絶対グラント範囲が状態Ｂへの遷移のための規則を維持する「すべてのＨＡＲＱプロセス」である場合、状態Ａに遷移する。
【０１０３】
ＷＴＲＵは、ＷＴＲＵがＥ−ＡＧＣＨ上で１次Ｅ−ＲＮＴＩを受信し、絶対グラント値が「ＩＮＡＣＴＩＶＥ」に設定され、絶対グラント範囲が「すべてのＨＡＲＱプロセス」に設定され、ＷＴＲＵが２次Ｅ−ＲＮＴＩで構成されるとき、状態Ｂに遷移するように構成される。ＷＴＲＵは、別のＥ−ＡＧＣＨまたは他の新しい共有チャネルを監視するように構成される。ＷＴＲＵは、チャネル上のそのＥ−ＲＮＴＩ（たとえば、１次Ｅ−ＲＮＴＩ、２次Ｅ−ＲＮＴＩ、または３次Ｅ−ＲＮＴＩ）を監視する。チャネル上のそのＥ−ＲＮＴＩ、およびチャネル上で担持される値の特別な組合せを検出したとき、ＷＴＲＵは、状態Ａまたは状態Ｂに遷移する。実際の行き先状態は、制御チャネル内で担持された値によって示される。
【０１０４】
ＷＴＲＵは、ＷＴＲＵ  ３次Ｅ−ＲＮＴＩを担持するＥ−ＡＧＣＨと、絶対グラント値および／または絶対グラント範囲の特別な値（たとえば、本明細書に記載のＵＬ−ＭＩＭＯ）とを受信したとき、状態Ａに遷移するように構成される。ＷＴＲＵは、絶対グラント範囲のための特定の値（たとえば、「すべてのＨＡＲＱプロセス」または「ＨＡＲＱごとのプロセス」）をも受信したとき、状態Ａに遷移するように構成される。この手法は、たとえば、状態Ｃに入るまたは状態Ｃから出るために絶対グラント範囲のための異なる値が選択された場合（たとえば、状態Ｃに入るために「ＨＡＲＱごとのプロセス」、および状態Ｃから出るために「すべてのＨＡＲＱプロセス」、またはその逆）、使用される。
【０１０５】
ＷＴＲＵは、タイマが満了したとき、状態Ｃを出て状態Ａに入るように構成される。たとえば、状態Ｃのための新しいタイマが構成され、このタイマは、状態Ｃに入るときスタートされ、満了したとき、ＷＴＲＵは状態Ａに自律的に戻る。タイマの値は、ネットワークによって構成される、仕様で固定される、などであってよい。
【０１０６】
状態Ｃを出たとき、ＷＴＲＵは、以下のアクションの１または複数を実施する。ＷＴＲＵは、状態Ｃ関連のタイマを停止する。ＷＴＲＵは、状態Ａでの動作のために、トータルグラントをサービンググラントとして維持する（たとえば、状態Ａでの動作のためのＳｅｒｖｉｎｇ＿Ｇｒａｎｔの値が、状態Ｃに使用されるトータルグラントの値に設定される）。ＷＴＲＵは、ランクを１にリセットする。ＷＴＲＵは、（たとえば、本明細書で定義されている）２次ストリームパラメータまたはグラントの値をゼロまたはデフォルト／構成された値にリセットする。ＷＴＲＵは、グラント情報および２次ストリームパラメータを変数内に格納する。ＷＴＲＵは、たとえば本明細書に記載のように、ＨＡＲＱプロセスおよびバッファ管理に関連する１または複数のアクションを実施する。
【０１０７】
デュアルストリーム動作のための２次ストリームパラメータの制御に関連するＷＴＲＵアクション（たとえば、前節で述べたようにＷＴＲＵが状態Ｃにあるとき）が開示される。送信ランクは、上述の方法の１つを使用して、ノードＢによって独立して構成されてもよく、たとえば、下記の方法は、ランク制御のために上述したものと組み合わせて使用されてもよいことに留意されたい。
【０１０８】
デュアルストリーム動作のために、ＷＴＲＵは、いくつかの送信パラメータで構成される。たとえば、ＷＴＲＵは、ＷＴＲＵの全体の送信を調節するサービンググラント（たとえば、トータルグラント、トータルサービンググラントなどと呼ばれる）、および２次ストリーム速度を制御する１つのパラメータで構成される。このパラメータは、データ転送速度、電力オフセット、ＳＮＲ差、またはデータ速度もしくは電力にリンクされる他のパラメータを表す。この２次ストリームパラメータは、２次ストリームパラメータと呼ばれる。
【０１０９】
ＷＴＲＵは、トータルサービンググラントおよび２次ストリームパラメータのための値を、たとえば２つの変数内に格納する。次いで、ＷＴＲＵは、ネットワークから新しい値を受信したとき変数を更新する。ＷＴＲＵは、トータルサービンググラントを、サービンググラントのための変数（たとえば、Ｓｅｒｖｉｎｇ＿Ｇｒａｎｔ）内に格納する。同じ変数が、状態Ａでも状態Ｃでも使用される。ノードＢから見て、ＷＴＲＵによって引き起こされる干渉は両ストリームから生じ、干渉制御目的のためにノードＢは送信されるストリームの数にかかわらず全体のＷＴＲＵ  Ｅ−ＤＰＤＣＨ電力を制御する。
【０１１０】
ＷＴＲＵは、本明細書で開示されているように、デュアルストリーム動作パラメータ（たとえば、トータルグラント、送信ランクインジケーション、２次ストリームパラメータなど）を受信する。ＷＴＲＵは、Ｅ−ＡＧＣＨ上でおよび／またはフィールドの修正されたセットと多重化を含むＥ−ＡＧＣＨ−ｌｉｋｅチャネル上で制御情報を受信するように構成される。ＷＴＲＵは、たとえばチャネルが担持されるチャネル化コードに基づいて、Ｅ−ＡＧＣＨおよび／またはＥ−ＡＧＣＨ−ｌｉｋｅチャネルがデュアルストリーム動作送信パラメータまたは従来のパラメータを担持するか否か決定する。ＷＴＲＵは、デュアルストリーム動作を示すように異なるチャネル化コード上で、Ｅ−ＡＧＣＨおよび／またはＥ−ＡＧＣＨ−ｌｉｋｅチャネルで構成される。ＷＴＲＵは、たとえば２次チャネル化コード上でＥ−ＡＧＣＨおよび／またはＥ−ＡＧＣＨ−ｌｉｋｅチャネルを求めて監視する。ＷＴＲＵが、チャネル化コード上で担持されたＥ−ＡＧＣＨおよび／またはＥ−ＡＧＣＨ−ｌｉｋｅチャネル上でそのＥ−ＲＮＴＩ（たとえば、１次Ｅ−ＲＮＴＩまたは別の構成されたＥ−ＲＮＴＩ、たとえば専用Ｅ−ＲＮＴＩ）を検出したとき、ＷＴＲＵは、Ｅ−ＡＧＣＨおよび／またはＥ−ＡＧＣＨ−ｌｉｋｅチャネルがデュアルストリーム動作送信パラメータを担持すると決定する。次いで、ＷＴＲＵは情報を復号し、変数の値を更新する。
【０１１１】
ＷＴＲＵは、Ｅ−ＲＮＴＩおよび／または専用Ｅ−ＲＮＴＩを使用して、Ｅ−ＡＧＣＨおよび／またはＥ−ＡＧＣＨ−ｌｉｋｅチャネルがデュアルストリーム動作送信パラメータまたは従来のパラメータ（たとえば、単一ストリーム送信に関連付けられたもの）を担持するか否か判定する。たとえば、ＷＴＲＵは、同じチャネル化コード上で、本明細書では共に「制御チャネル」と呼ばれるＥ−ＡＧＣＨおよびＥ−ＡＧＣＨ−ｌｉｋｅチャネル（たとえば、Ｅ−ＲＯＣＨ）を求めて監視するように構成される。ＷＴＲＵは、Ｅ−ＡＧＣＨ−ｌｉｋｅチャネル（たとえば、Ｅ−ＲＯＣＨ）に関連付けられた専用Ｅ−ＲＮＴＩまたはＥ−ＡＧＣＨ−ｌｉｋｅチャネルＥ−ＲＮＴＩで構成される。ＷＴＲＵが、監視されている制御チャネル上でＥ−ＡＧＣＨ−ｌｉｋｅチャネルＥ−ＲＮＴＩを検出したとき、ＷＴＲＵは、受信されたＥ−ＡＧＣＨがデュアルストリーム動作送信パラメータを担持し、検出された制御チャネルがＥ−ＡＧＣＨ−ｌｉｋｅチャネルであると決定する。ＷＴＲＵは情報を復号し、変数の値を更新する。たとえば、Ｅ−ＡＧＣＨ−ｌｉｋｅチャネルＥ−ＲＮＴＩを担持する制御チャネルは、２次ストリームパラメータを担持し、トータルグラントに関連する情報を担持しない。Ｅ−ＡＧＣＨ−ｌｉｋｅチャネルＥ−ＲＮＴＩを有する制御チャネルを受信したとき、ＷＴＲＵは、２次ストリームパラメータを適用する。Ｅ−ＡＧＣＨ−ｌｉｋｅチャネルＥ−ＲＮＴＩを担持する制御チャネルは、ストリームパラメータとランクインジケーションを共に担持する。Ｅ−ＡＧＣＨ−ｌｉｋｅチャネルＥ−ＲＮＴＩを有する制御チャネルを受信したとき、ＷＴＲＵは、たとえばこれらの２つのパラメータを適切な変数に適用する。ＷＴＲＵは、制御チャネルがＥ−ＲＮＴＩ（たとえば、１次Ｅ−ＲＮＴＩまたは２次Ｅ−ＲＮＴＩ）を担持することを検出したとき、制御チャネルがＥ−ＡＧＣＨを担持すると決定する。
【０１１２】
たとえばＥ−ＡＧＣＨ−ｌｉｋｅチャネルＥ−ＲＮＴＩを使用するとき、復号を単純化するために、Ｅ−ＡＧＣＨ−ｌｉｋｅチャネル上のビット数が一定に保たれる。トータルグラントおよび／または２次ストリームパラメータのためのビットの総数は、両フィールドが絶対グラント値フィールドを使用している場合は、５に制限され、両フィールドが絶対グラント範囲ビットを使用する場合は、６に制限される。トータルグラントを担持するために、縮小されたサイズのフィールドが使用される。これは、デュアルストリーム動作が始めに比較的大きなグラントを使用するので、正当化される。ノードＢは、グラント値が大きいとき、デュアルストリーム動作のためのＷＴＲＵの構成を制限する。ＷＴＲＵは、トータルグラントのために新しい縮小されたサイズのマッピングテーブルで構成される。マッピングテーブルは、たとえばサービンググラントの大きい値と、いくつかの特別な値とを含む。表３は、たとえば上部エントリが３ＧＰＰ  ＴＳ  ２５．２１２  Ｔａｂｌｅ  １６Ｂ．１から取られ、特別なより低いエントリが保たれる例示的なマッピング（たとえば、３ビットを必要とする）を示す。
【０１１３】
【表５】
2015507435.tif 000007
【０１１４】
２次ストリームパラメータをシグナリングするために、ＷＴＲＵは、テーブルで構成される。２次ストリームパラメータは、たとえばｄＢで表される電力オフセットを含むと仮定される。表４は、２次ストリームパラメータ（ＳＳＰ）マッピング（たとえば、例示的な値を有する）の一例を示す。この例では、これらのエントリは、電力オフセットを表す。「Ｉｎｆｉｎｉｔｅ（無限）」値エントリは、２次ストリームを事実上オフにするためにノードＢによって使用されるが、示されている値エントリは、例として使用される。
【０１１５】
【表６】
2015507435.tif 000008
【０１１６】
Ｅ−ＡＧＣＨ、またはたとえば修正されたＥ−ＡＧＣＨをもたらすＥ−ＡＧＣＨ−ｌｉｋｅチャネル上で合計６ビットを担持することが好ましい。一例では、トータルグラントの３ビットと２次ストリームパラメータの３ビットが共に多重化される。この修正されたＥ−ＡＧＣＨチャネルのための例示的な符号化が図５に示されており、Ｘａｔｇｖ，１，．．．，Ｘａｔｇｖ，３は、絶対トータルグラント値ビットであり、Ｘａｓｐ，１，．．．，Ｘａｓｐ，３は、２次ストリームパラメータに関連付けられたビットである。
【０１１７】
この例では、絶対グラント範囲ビットは担持されない。ＷＴＲＵは、予め定義された値を使用するように構成される。たとえば、ＷＴＲＵは、状態Ｃにおける、または３次Ｅ−ＲＮＴＩを有する修正されたＥ−ＡＧＣＨを受信したとき、絶対グラント範囲の「ＨＡＲＱごとのプロセス」値を使用または想定するように構成される。ＷＴＲＵは、状態Ｃにおけるまたは３次Ｅ−ＲＮＴＩを有する修正されたＥ−ＡＧＣＨを受信したとき、「絶対グラント範囲」の「すべてのＨＡＲＱプロセス」値を使用または想定するように構成されてもよい。
【０１１８】
テーブルのサイズは、絶対グラント範囲ビットが修正されたＥ−ＡＧＣＨ上で担持されるように設計される。この例が図６に示されており、絶対２次ストリームパラメータフィールドのために２ビットが使用されている。
【０１１９】
専用チャネルを使用して２次ストリームパラメータを制御することが開示される。ＷＴＲＵは、２次ストリームパラメータを制御するために専用チャネルを監視するように構成される。たとえば、ＷＴＲＵは、状態Ｃで構成されるとき、Ｅ−ＲＧＣＨ−ｌｉｋｅチャネルを監視するように構成される。
【０１２０】
新しいＥ−ＤＣＨ相対２次ストリーム制御チャネル（Ｅ−ＲＳＳＣＨ）チャネルが、たとえばＥ−ＲＧＣＨと同様に１ビット情報を担持する。Ｅ−ＲＳＳＣＨは、「アップ（ＵＰ）」または「ダウン（ＤＯＷＮ）」コマンドを担持する。Ｅ−ＲＳＳＣＨから「アップ」コマンドを受信したとき、ＷＴＲＵはたとえば１ステップ上げることによって（たとえば、値がすでに最大に達していない限り）２次ストリームパラメータの値を更新する。Ｅ−ＲＳＳＣＨから「ダウン」コマンドを受信したとき、ＷＴＲＵはたとえば１ステップ下げることによって（たとえば、値がすでに最大に達していない限り）２次ストリームパラメータの値を更新する。
【０１２１】
動的なストリーム間干渉（ＩＳＩ）制御が提供される。デュアルストリームＭＩＭＯ動作のために、ノードＢ受信機は、２つのストリームを分離し、それらを復号し、たとえば追加のスループット利得を提供する。これは、共にチャネルの影響と闘う複数の受信アンテナと先進の信号処理受信機技術を用いて試みられる。しかし、残留ストリーム間干渉が存在し、これは受信機性能を劣化させる。このストリーム間干渉は、２次ストリームおよび／または１次ストリームに影響を及ぼす。
【０１２２】
ストリーム間干渉による受信機性能の劣化は、ノードＢで測定および／または推定され、たとえば信号対雑音比（ＳＮＲ）相当量として表される。たとえば、ノードＢは、所与のチャネル実現について、ストリーム間干渉により２ｄＢのペナルティを受けると決定する。
【０１２３】
ストリーム間干渉の影響を軽減するための機構が提供される。これらの機構は、ＷＴＲＵが１または複数のストリーム間干渉特有のパラメータで構成されることを含む。ＷＴＲＵは、これらのパラメータを適用し、それに応じてその伝送速度を調整する。シグナリングされるパラメータは、ストリーム間干渉により受けるペナルティを決定するためにＷＴＲＵによって使用される。
【０１２４】
ＷＴＲＵは、ストリーム間干渉制御情報を決定する。ＷＴＲＵは、ストリーム間干渉制御パラメータのセットで構成される。たとえば、ＷＴＲＵは、たとえばＷＴＲＵがデュアルストリームで送信するとき適用するストリーム間干渉（ＩＳＩ）オフセットまたはペナルティで構成される。ＩＳＩオフセットは、仕様で固定されたＲＲＣ構成などを介してＷＴＲＵにシグナリングされる。たとえば、ＷＴＲＵは、たとえばネットワークからＲＲＣシグナリングを介してＩＳＩオフセットを受信してもよい。ＷＴＲＵは、ＩＳＩオフセットをデュアルストリーム送信の１次ストリームのアップリンク送信に適用する。
【０１２５】
ＷＴＲＵは、適用するべきＩＳＩオフセットまたはペナルティをパラメータ化する値のセットで構成される。ＷＴＲＵは、たとえばＲＲＣシグナリングを介して、これらの値で構成される。ＷＴＲＵは、たとえば本明細書で開示されているように、たとえば構成されたパラメータの補間を使用することによって、適用するべき実際のＩＳＩオフセットを決定する。
【０１２６】
ＷＴＲＵは、ＩＳＩオフセットまたはペナルティのための明示的な値で、ノードＢによって動的に構成される。これは、たとえばＥ−ＡＧＣＨ−ｌｉｋｅチャネルの一部として、たとえばＩＳＩオフセットまたはペナルティのための別個の値をシグナリングすることによって実施される。これは、インデックス付きテーブルを使用して実施されてもよい。一例では、ＷＴＲＵは、Ｅ−ＡＧＣＨ−ｌｉｋｅチャネルを介して、少なくとも２次ストリームオフセットおよびＩＳＩオフセットで（たとえば同時に）構成される。これらの値は、独立して符号化されても、たとえば共同値を有するテーブル内のインデックスを使用して一緒に符号化されてもよい。
【０１２７】
図７は、Ｅ−ＡＧＣＨ−ｌｉｋｅチャネル（たとえば、それだけには限らないがＥ−ＲＯＣＨなどＳ−Ｅ−ＡＧＣＨ）の上で２次ストリームパラメータ（ＳＳＰ）およびＩＳＩパラメータをシグナリングする例示的な実装を示す。Ｓ−Ｅ−ＡＧＣＨは、共同ＳＳＰ−ＩＳＩ制御チャネルを含む。Ｓ−Ｅ−ＡＧＣＨなどＥ−ＡＧＣＨ−ｌｉｋｅ制御チャネルの各フィールドについてのビットの実際の数およびマッピングは、異なる値を取ってもよい。たとえば、ＳＳＰフィールドは３ビットを取り、表４に示されているようなマッピングを使用する。ＩＳＩフィールドは３ビットを取り、表５に示されているマッピングを有する。
【０１２８】
【表７】
2015507435.tif 000009
【０１２９】
ＷＴＲＵは、２次グラントチャネルを介してＷＴＲＵに送られる２次ストリームオフセットからＩＳＩオフセットを推論する。１次ストリームに比べて強い２次ストリームは、２つの空間ストリームを十分に分離することができ、たとえばストリーム間干渉が小さいことを意味する。２次ストリームオフセットをＩＳＩの推論されたレベルにマッピングするＷＴＲＵにおけるテーブルが指定される。ノードＢは、２次グラントチャネルでの送信を決定するとき、ＩＳＩオフセットおよび２次ストリームオフセットを含む。
【０１３０】
ノードＢは、直交性係数（ｏｒｔｈｏｇｏｎａｌｉｔｙ  ｆａｃｔｏｒ）のインジケーション、たとえば直交性係数それ自体、直交性係数に対応するルックアップテーブルに対するインデックスなどをシグナリングする。直交性係数のインジケーションは、ＩＳＩオフセット（もしくはペナルティ）と共にまたはＩＳＩオフセット無しでＷＴＲＵに送られる。直交性係数γは、ノードＢでの１次ストリームと２次ストリームとの間の直交性の度合いを表し、これは、これらの２つのストリーム間のＩＳＩに変換される。たとえば、０≦γ≦１、ただしγ＝１は、１次チャネルと２次チャネルが互いに直交する場合を表すと仮定され、これは、ＩＳＩがないことを意味する。直交性の度合いは、γが小さくなるにつれて低くなり、たとえば、ＩＳＩが著しくなる。直交性係数は、他の方法で設計されてもよい。一例では、直交性係数は、１次チャネルと２次チャネルが直交する場合を表すためにγ＝０という値を取り、γ＝１という値は、それらのチャネルがたとえば完全に干渉することを示してもよい。直交性係数は相関の尺度として解釈される。
【０１３１】
直交性係数の範囲および分布は、有限個のビットフィールドを使用してノードＢからシグナリングするのに適したものである。直交性係数を受信したとき、ＷＴＲＵは、対応するＩＳＩオフセットパラメータ（またはペナルティ）を計算し、そのパラメータを適用する。たとえば、ＷＴＲＵは、以下の例示的な方法の１または複数を使用することによって、直交性係数に基づいてＩＳＩオフセットパラメータを計算する。
【０１３２】
ＷＴＲＵは、直交性係数に基づいてＩＳＩパラメータを決定するように較正される。ＷＴＲＵはそれを、直交性係数がＩＳＩオフセット値にマッピングされるルックアップテーブルを介して行う。
【０１３３】
ＩＳＩオフセットパラメータを計算するための方法は、ＩＳＩ  Ｅ−ＴＦＣＩ−ｄｅｐｅｎｄｅｎｔがある。ＩＳＩ補償は、直交性係数に、またＥ−ＴＦＣＩ候補に基づく。ＩＳＩ補償は、Ｅ−ＴＦＣＩの関数であっても、Ｅ−ＤＰＤＣＨおよび／またはＳ−Ｅ−ＤＰＤＣＨ利得係数の関数であってもよい。ＷＴＲＵが、直交性係数γおよび候補Ｅ−ＴＦＣＩを与えられてＩＳＩ補償の量（ΔＩＳＩ）を決定するように、ＷＴＲＵは１または複数のパラメータおよび／または関数で構成される。
【０１３４】
ＷＴＲＵは、ＲＲＣシグナリングを介してＩＳＩ決定のために１または複数のパラメータで構成される。ＷＴＲＵは、１または複数のＥ−ＴＦＣＩ閾値で構成される。ＷＴＲＵは、（たとえば、Ｌ１シグナリングを介して）直交性係数γを受信する。ＷＴＲＵは、たとえば、構成されたパラメータに基づいて補間式を使用して、ＩＳＩ補償を決定する。
【０１３５】
ＩＳＩオフセットパラメータを計算するための方法は、ＩＳＩ利得係数に依存するものである。ＷＴＲＵは、ＲＲＣシグナリングを介してＩＳＩ決定のために１または複数のパラメータで構成される。ＷＴＲＵは、１または複数の利得係数閾値で構成される。ＷＴＲＵは、（たとえば、Ｌ１シグナリングを介して）直交性係数γを受信する。ＷＴＲＵは、たとえば従来の利得係数、直交性係数、および１または複数のＩＳＩ決定パラメータを使用して、たとえばＥ−ＴＦＣＩ候補のためのビットの数で表してＩＳＩペナルティを決定する。たとえば、ＷＴＲＵは、Ｅ−ＴＦＣＩが、構成された閾値によって定義される範囲内で利得係数を使用しているとき、この計算を実施する。
【０１３６】
ストリーム間干渉制御に関連するＷＴＲＵアクションが開示される。ＷＴＲＵがストリーム間干渉を補償するように構成されるとき、ＷＴＲＵは、構成されたまたはシグナリングされたパラメータに基づいてオフセットまたはペナルティを決定し、そのオフセットを送信にまたは送信パラメータを計算する際に適用する。
【０１３７】
ＷＴＲＵは、ある閾値に達したまたは（１または複数の）条件が満たされたとき、ＩＳＩオフセットに対する補償を適用するように構成される。たとえば、補償を適用するための条件は、以下の１または複数を含む。２次ストリームのトランスポートブロックサイズまたはＥ−ＴＦＣＩが所定の閾値未満である、および／または２次ストリームから１次ストリームにかけて生じた干渉が激しくない。このような場合、ＩＳＩオフセット補償は、１次ストリームに対して適用されない。一例では、閾値または条件は、直交性係数で表して指定される。ＩＳＩ補償は、デュアルストリーム送信でＴＴＩに適用される。ＩＳＩ補償は、１次ストリーム上のＴＢＳまたはＥ−ＴＦＣＩが予め構成された閾値より高いとき適用される。ＩＳＩ補償は、１次ストリームＥ−ＤＰＤＣＨ電力が予め構成された閾値より高いとき適用される。ＩＳＩ補償は、１次ストリームＥ−ＤＰＤＣＨ利得係数が予め構成された閾値より高いとき適用される。
【０１３８】
ＩＳＩオフセット補償は、以下の１または複数を使用して実行される。ＷＴＲＵは、ＩＳＩオフセットまたはペナルティを、たとえばデュアルストリーム送信の１次ストリームに割り当てる。たとえば、ＷＴＲＵは、ＩＳＩオフセットをデュアルストリーム送信の１次ストリームのアップリンク送信に適用する。たとえば、ＷＴＲＵは、ＩＳＩオフセットを、Ｅ−ＤＰＤＣＨのための利得係数および／またはＥ−ＴＦＣＩのサポートされたセットを計算する際に適用する。ＩＳＩオフセットは、たとえば他の尺度、たとえばＨＡＲＱオフセット、他のパラメータなどに加えて適用される。下式は、たとえばΔＩＳＩがＩＳＩオフセットを表す補外式および補間式（たとえば、３ＧＰＰ  ＴＳ  ２５．２１４，Ｖ１０．５．０参照）のために利得係数を計算することを示す。
【０１３９】
【数１】
2015507435.tif 000010
【０１４０】
ＷＴＲＵは、デュアルストリームＭＩＭＯ送信パラメータ（たとえば、利得係数、ＴＢＳなど）を計算するときＩＳＩオフセットを適用するように構成される。ＷＴＲＵは、単一ストリーム送信パラメータを計算するために０ｄＢのＩＳＩオフセット値を使用するように構成される。ＷＴＲＵは、Ｅ−ＴＦＣ制約目的のために利得係数を計算する際にＩＳＩオフセットを使用する。ＩＳＩオフセットは、現在のグラントに基づいて使用可能なビットの数を決定するためにＥ−ＴＦＣ選択手順で使用される。たとえば、補外式（たとえば、同様の概念が、補間式を使用するとき適用される）を使用して、サービンググラントによってサポートされるビットの数（Ｋｓｇ）は、以下のように表される。
【０１４１】
【数２】
2015507435.tif 000011
【０１４２】
ＷＴＲＵは、２次ストリームにＩＳＩオフセットを適用するように構成される。ＭＩＭＯ動作では、ＷＴＲＵは、たとえば１次ストリームに比べて２次ストリームの速度を制御する２次ストリームパラメータで構成される。一例では、このパラメータは、ＳＮＲオフセットを含む。２次ストリームパラメータ送信パラメータ（たとえば、利得係数、電力、ＴＢＳなど）を計算するとき、ＷＴＲＵはＩＳＩオフセットを考慮する。たとえば、ＷＴＲＵは、各Ｅ−ＴＦＣまたはＴＢＳのために利得係数を計算する際に、２次ストリームオフセットパラメータをＩＳＩオフセットと組み合わせる。これは、たとえば、両パラメータを（たとえば、対数領域で）加算し、２次ストリームＳＮＲオフセットとＩＳＩオフセットを共に組み合わせる、ΔＩＳＩ項を有する上式におけるように単一のパラメータを適用することによって達成される。
【０１４３】
一例では、ＷＴＲＵは、以下のように補外および補間に基づいて２次ストリームパラメータを決定する。
【０１４４】
【数３】
2015507435.tif 000012
【０１４５】
【数４】
2015507435.tif 000013
【０１４６】
ΔＩＳＩ２は２次ストリームについてＩＳＩオフセットを表し、ΔＳＳＰ項は２次ストリームオフセットに対応し、この２次ストリームオフセットは、この例では、１次ストリームと２次ストリームの間の相対ＳＮＲ差を補償するために使用される。
【０１４７】
以下の１または複数が、２次ストリームＩＳＩオフセットの値を決定するために使用される。２次ストリームの場合、ＩＳＩオフセットは、１次ストリームのために構成されたものと同じ値を取る（たとえば、ΔＩＳＩ＝ΔＩＳＩ２）。ＷＴＲＵは、たとえば各ストリームに１つずつ、２つの別個のＩＳＩオフセットで構成される。ＷＴＲＵは、固定されたＩＳＩ２次ストリームオフセットで構成される。ＷＴＲＵは、固定されたＩＳＩ２次ストリームオフセットを１次ストリームのＩＳＩオフセットに適用する。ＷＴＲＵは、２次ストリームのためのＩＳＩオフセットを考慮する２次ストリームパラメータで構成される。そのような場合には、ＷＴＲＵによるさらなるアクションは必要でない。
【０１４８】
一例では、これらの２つのパラメータΔＩＳＩ２およびΔＳＳＰは、１つのパラメータに組み合わされる。ＩＳＩオフセット、および１次ストリームと２次ストリームとの間の信号差の効果は、パラメータΔＳＳＰ’など単一のパラメータによって表される。ＷＴＲＵは、補外式および補間式についての以下の例に示されているように単一のパラメータを使用して２次ストリームのための利得係数を計算する。
【０１４９】
【数５】
2015507435.tif 000014
【０１５０】
それを行うことによって、システム性能を損なうこと無しに、フィードバックシグナリングのオーバーヘッドが低減される。ＩＳＩの効果をＳＳＰパラメータに吸収させるという概念は、他の式に当てはまる。
【０１５１】
一例では、１次ストリームおよび２次ストリームの利得係数は、ＩＳＩオフセットに従って調整されない。実際のアップリンク伝送速度は、ＩＳＩ損失を調節することによって修正される。たとえば、１次ストリームのトランスポートブロックサイズは、下式によって計算される。
【０１５２】
【数６】
2015507435.tif 000015
【０１５３】
上式で、Ｋｅ，ｍは、たとえば３ＧＰＰ標準に指定された式を介して、１次サービングストリームについてサービンググラントに従って計算されるトランスポートブロックサイズである。２次ストリームについては、そのトランスポートブロックサイズは、下式によって決定される。
【０１５４】
【数７】
2015507435.tif 000016
【０１５５】
Ｋｅ，ｍは、利得係数計算で使用され、これは修正されない。Ｋｅ，ｍは、１次ストリームおよび２次ストリームについて計算される。たとえば、Ｋｅ，ｍは、補外式を使用して計算される。同様の概念が、補外式を使用して適用されてもよい。たとえば、１次ストリームのトランスポートブロックサイズは、下式によって計算される。
【０１５６】
【数８】
2015507435.tif 000017
【０１５７】
２次ストリームについては、トランスポートブロックサイズは、下式によって計算される。
【０１５８】
【数９】
2015507435.tif 000018
【０１５９】
上記の例では、Ｓｅｒｖｉｎｇ＿Ｇｒａｎｔが例として使用されているが、Ｅ−ＤＰＤＣＨ利得係数（たとえば、電力比として表される）など、他の利得比が使用されてもよい。
【０１６０】
たとえば他のＷＴＲＵからの干渉が優勢であるとき、たとえばアップリンク送信を同じ程度まで劣化させないストリーム間干渉を調節する、トランスポートブロックサイズ計算に対する非線形補正が提供される。他のノイズ源に比べてＩＳＩの影響は、より高い送信電力のためにより高いサービンググラントでより大きくなり、より低いサービンググラントでより小さくなる。一例として、αが、実際のトランスポートブロックサイズを決定するために必要とされる補正量を表すとする。サービンググラント（ＳＧ）およびΔＩＳＩをＴＢＳ補正値αに非線形マッピングするテーブルが設計される。この設計は、以下の１または複数を含む。ＳＧがある値ＳＧ０より小さいとき、α＝１である。これは、他のソースのノイズが優勢であるとき、ＩＳＩは影響を及ぼさないからである。ＳＧがＳＧ０とＳＧ１との間であるとき、αはＳＧの単調増加関数である。ＳＧがＳＧ１より大きいとき、αは上限に達する。これはＩＳＩが優勢であるとき、サービンググラント（たとえば、ＴＸ電力）をさらに増大しても、データ速度が改善されないからである。
【０１６１】
ＳＧ０およびＳＧ１は、ΔＩＳＩの関数として定義され、これにより、ＳＧがＳＧ０とＳＧ１との間であるとき、ＳＧおよびαの関数であることに留意されたい。その結果、ＴＢＳは、下式によって決定される。
１次ストリームについては、
【０１６２】
【数１０】
2015507435.tif 000019
【０１６３】
２次ストリームについては、
【０１６４】
【数１１】
2015507435.tif 000020
【０１６５】
ＷＴＲＵは、たとえばＲＲＣシグナリングを介して、ＳＧ０、ＳＧ１、およびαの特定の値で構成される。トランスポートブロックサイズ計算に対する非線形補正は、単一ストリーム動作については外される。
【０１６６】
ＷＴＲＵは、Ｅ−ＴＦＣ選択手順中、ＩＳＩの効果を調節するように構成される。たとえば、ＷＴＲＵは、従来の手法を使用することによって、およびビットの数に関してペナルティを適用することによって、「最大の支持されるペイロード」を決定する。ペナルティは、本明細書に記載の手法の１つを使用することによって決定される。たとえば、ＷＴＲＵは、１次ストリームについて、および／または２次ストリームについて、以下のステップを実施する。ＷＴＲＵは、たとえば最大の支持されるペイロードに関連するＥ−ＴＦＣＩに基づいて、または最大の支持されるペイロードに関連する利得係数もしくは電力に基づいてＩＳＩオフセットを決定する（Ｋｍｓｐ）。ＷＴＲＵは、ＩＳＩを考慮して新しい最大の支持されるペイロードを計算する（Ｋｍｓｐ，ｉｓｉ）。たとえば、ＷＴＲＵは、以下の式を使用する。
【０１６７】
【数１２】
2015507435.tif 000021
【０１６８】
ＷＴＲＵは、ＩＳＩを考慮した最大の支持されるペイロードを使用して、Ｅ−ＴＦＣ選択手順の残りの部分を実行する。ＷＴＲＵは、適用可能な場合、Ｅ−ＤＰＤＣＨ上で担持されるべきビットの実際の数に基づいて新しいＩＳＩを決定する。
【０１６９】
ＷＴＲＵは、ＩＳＩを考慮して利得係数式を使用することによって、１次ストリームに適用するために実際の利得係数を決定する。ＷＴＲＵは、２次ストリームを送信するかどうか決定する。ＷＴＲＵが２次ストリームを送信すべきであるという決定に基づいて、ＷＴＲＵは、Ｅ−ＤＰＤＣＨ利得係数に等しくなるように構成されたＳ−Ｅ−ＤＰＤＣＨ利得係数に基づいて、２次ストリームのための最大の支持されるペイロードを決定する。たとえば、２次ストリームについて単一のペナルティパラメータ（たとえば、ΔＳＳＰ）を想定する補外式は、この形態を取る。
【０１７０】
【数１３】
2015507435.tif 000022
【０１７１】
２次ストリームのための利得係数は、１次ストリームのための利得係数に等しい（βｓｅｄ，ｋ＝βｅｄ，ｋ、ただしｋ＝１．．．Ｋｍａｘ）。ＷＴＲＵは、この計算された値を最大の支持されるペイロードとして使用して、Ｅ−ＴＦＣ選択手順の残りを実行する（Ｋｍｓｐ，ｉｓｉ，ｓｅｃｏｎｄａｒｙ）。たとえば、ＷＴＲＵは、Ｓ−Ｅ−ＤＰＤＣＨのための利得係数を再計算せず、Ｓ−Ｅ−ＤＰＤＣＨのための利得係数がＥ−ＤＰＤＣＨ利得係数に等しいと仮定する。
【０１７２】
ＨＡＲＱ制御が開示される。デュアルストリーム動作の状況では、ＷＴＲＵは、単一のＴＴＩ内で２つのトランスポートブロックまでを送信するように構成される。ＷＴＲＵは、２つの独立したＨＡＲＱバッファを使用し、各ＴＢについて処理する。これにより、同じＴＴＩ内でＨＡＲＱプロセスが２つになる。１次ストリームに関連するＨＡＲＱプロセスは１次ＨＡＲＱプロセスと呼ばれ、２次ストリームに関連するＨＡＲＱプロセスは２次ＨＡＲＱプロセスと呼ばれる。これらは共に、「集約されたＨＡＲＱプロセス」と呼ばれる。両ＨＡＲＱプロセスは、（たとえば、同じＴＴＩ中に送信されるとき）同じＨＡＲＱプロセス番号を共有する。これらの２つのＨＡＲＱプロセスは、独立して又は一緒に、肯定応答／否定応答されてもよいことに留意されたい。ＷＴＲＵは、両方が肯定応答されるまで両ＨＡＲＱプロセスを再送信するように構成される。
【０１７３】
デュアルストリーム動作の状況におけるＨＡＲＱ制御プロセスが開示される。ＷＴＲＵは、２次ＨＡＲＱプロセスをアクティブ化および非アクティブ化するように構成される。２次ＨＡＲＱプロセスは、ＷＴＲＵがデュアルセル動作のために構成されている場合（たとえば、ＷＴＲＵが状態Ｃにあるとき）、アクティブ状態であると考えられる。ＷＴＲＵは、ＨＡＲＱプロセス制御に以下の規則の１または複数を適用する。２次ＨＡＲＱプロセスは、関連の１次ＨＡＲＱプロセスがアクティブ化されている場合、アクティブ化される。１次ＨＡＲＱプロセスが（たとえば従来の手法を使用して）非アクティブ化されたとき、ＷＴＲＵは、関連のまたは対の２次ＨＡＲＱプロセスを非アクティブ化する。各２次ＨＡＲＱプロセスは、たとえばＲＲＣシグナリングを介して、ＲＮＣによって非アクティブ化される。そのような場合、２次ＨＡＲＱプロセスは、ノードＢ制御を介して（たとえばＥ−ＡＧＣＨまたは他のＬ１／Ｌ２メッセージを介して）それ以上アクティブ化されない。
【０１７４】
ＷＴＲＵは、たとえばＥ−ＡＧＣＨ上で担持された、受信されたＬ１メッセージに基づいて２次ＨＡＲＱプロセスを活性化および非アクティブ化するように構成される。たとえば、ＷＴＲＵは、デュアルストリーム動作送信パラメータを担持するＥ−ＡＧＣＨの内容に基づいて２次ＨＡＲＱプロセスをアクティブ化または非アクティブ化する（たとえば、Ｅ−ＡＧＣＨがデュアルストリーム動作送信パラメータを担持しているか否か決定するための、本明細書に開示されている例）。以下のトリガおよび関連のＷＴＲＵアクションがＷＴＲＵによって適用される。
【０１７５】
ＷＴＲＵは、以下のトリガの１または複数が受信されたとき、（たとえば、ＣＵＲＲＥＮＴ ＨＡＲＱ ＰＲＯＣＥＳＳ番号に関連付けられた）２次ＨＡＲＱプロセスを非アクティブ化する。Ｅ−ＡＧＣＨ上で受信された値の特別な所定の組合せ。たとえば、デュアルストリーム動作送信パラメータを担持するＥ−ＡＧＣＨ上。関連のＥ−ＡＧＣＨ（たとえば、デュアルストリーム動作を担持するもの）パラメータ上で受信されるグラント値は、「ＩＮＡＣＴＩＶＥ」であり、絶対グラント範囲は、「ＨＡＲＱごとのプロセス」に設定される。上記は、アクティブ状態である関連の１次ＨＡＲＱプロセスを条件とする。２次ストリームパラメータは、特別な値（たとえば、「ＩＮＦＩＮＩＴＥ」または本明細書に開示されている他の予約された値）を取る。ＷＴＲＵは、関連の１次ストリームを（たとえば、従来の方法の１つを使用して）非アクティブ化する。
【０１７６】
ＷＴＲＵは、以下のトリガの１または複数が受信されたとき、各２次ＨＡＲＱプロセスを非アクティブ化する。値の特別な所定の組合せが、Ｅ−ＡＧＣＨ上、たとえばデュアルストリーム動作送信パラメータを担持するＥ−ＡＧＣＨ上で受信される。関連のＥ−ＡＧＣＨ上で受信されるグラント値は、「ＩＮＡＣＴＩＶＥ」であり、絶対グラント範囲は、「すべてのＨＡＲＱプロセス」に設定される。２次ストリームパラメータは、特別な値（たとえば、「ＩＮＦＩＮＩＴＥ」または他の予約された値）を取る。ＷＴＲＵは、状態Ｃを出る（たとえば、状態Ａまたは状態Ｂに変化する）。各１次ＨＡＲＱプロセスは、（たとえば、従来の方法を使用して）非アクティブ化されている。
【０１７７】
ＷＴＲＵは、以下のトリガの１または複数が受信されたとき、（たとえば、ＣＵＲＲＥＮＴ ＨＡＲＱ ＰＲＯＣＥＳＳ番号に関連付けられた）「２次ＨＡＲＱプロセス」をアクティブ化する。値の特別な所定の組合せが、Ｅ−ＡＧＣＨ上、たとえばデュアルストリーム動作送信パラメータを担持するＥ−ＡＧＣＨ上で受信される。非ゼロのグラント値が関連のＥ−ＡＧＣＨ（たとえば、デュアルストリーム動作送信パラメータを担持するＥ−ＡＧＣＨ）上で受信され、絶対グラント範囲は「ＨＡＲＱごとのプロセス」に設定される。上記は、アクティブ状態である関連の１次ＨＡＲＱプロセスを条件とする。関連の１次ＨＡＲＱプロセスがそれまでにアクティブ化されていない場合、ＷＴＲＵは、関連の１次ＨＡＲＱプロセスをアクティブ化する。２次ストリームパラメータは、特別な値、または「ＩＮＦＩＮＩＴＥ」とは異なる値を取る。ＷＴＲＵは、状態Ｃに入る。ＷＴＲＵは状態Ｃにあり、関連の１次ＨＡＲＱプロセスが（たとえば、従来の方法を使用して）アクティブ化されている。
【０１７８】
ＷＴＲＵは、以下のトリガの１または複数が受信されたとき、各「２次ＨＡＲＱプロセス」をアクティブ化する。値の特別な所定の組合せが、Ｅ−ＡＧＣＨ上、たとえばデュアルストリーム動作送信パラメータを担持するＥ−ＡＧＣＨ上で受信される。非ゼロのグラント値が関連のＥ−ＡＧＣＨ（たとえば、デュアルストリーム動作送信パラメータを担持するＥ−ＡＧＣＨ）上で受信され、絶対グラント範囲は「すべてのＨＡＲＱプロセス」に設定される。上記は、アクティブ状態である各１次ＨＡＲＱプロセス（たとえば、アクティブ化され、ＲＲＣ構成に基づいて制約されないもの）を有することを条件とする。必ずしもすべての１次ＨＡＲＱプロセスがそれまでにアクティブ化されていない場合、ＷＴＲＵは、関連の１次ＨＡＲＱプロセス（たとえば、アクティブ化され、ＲＲＣ構成に基づいて制約されないもの）をアクティブ化する。２次ストリームパラメータは、特別な値、または「ＩＮＦＩＮＩＴＥ」とは異なる値を取る。ＷＴＲＵは、状態Ｃに入る。ＷＴＲＵは状態Ｃにあり、各１次ＨＡＲＱプロセスが（たとえば、従来の方法を使用して）アクティブ化されている。
【０１７９】
デュアルストリーム動作をサポートするＷＴＲＵは、トラフィックおよびチャネル条件に応じて単一ストリームからデュアルストリーム動作に遷移する。本明細書に記載のように、ＷＴＲＵは、たとえばネットワーク制御またはバッファ状態に基づいて、状態および／または送信ランクを動的に変更するように構成される。これは、たとえばこれらの場合の１または複数において行われる。ＷＴＲＵは、状態Ｃから状態Ａまたは状態Ｂに変化する。ＷＴＲＵは、その送信ランクを１から２に変更する。ＷＴＲＵは、１または複数の２次ＨＡＲＱプロセスを非アクティブ化する。デュアルストリーム動作は、より高いレイヤによって（たとえばＲＲＣを介して）使用不能にされる。ＷＴＲＵは、ＷＴＲＵがバッファの１または複数内に少ない量のデータを有するとき、たとえばトータルＥ−ＤＣＨバッファ状態（ＴＥＢＳ）が予め構成された閾値未満であるとき、状態および／または送信ランクを変更するように構成される。ＷＴＲＵは、電力制限されたとき、たとえば追加のスケーリングがＷＴＲＵに適用されているとき、またはＷＴＲＵに、失敗したランク２送信を再送信するのに十分な電力がないとき、状態および／または送信ランクを変更するように構成される。
【０１８０】
ＷＴＲＵ送信ランクまたは状態が変更されたときのＨＡＲＱバッファの制御が開示される。これは、ＷＴＲＵがデュアルストリーム動作を使用して送信しており、次いで単一ストリームを使用して送信するように構成される場合を含む。
【０１８１】
ＷＴＲＵが（たとえば、１または複数のＨＡＲＱプロセスのために）デュアルストリームから単一ストリーム動作に変化するように構成されるとき、ＷＴＲＵは、進行中のデュアルストリームＨＡＲＱプロセス、および／またはいくつかの未完の通信を有する（たとえば、バッファが空でない２次ＨＡＲＱプロセス）。そのような場合、ＷＴＲＵは、以下のアクションの１または複数を実施する。ＷＴＲＵは、２次ＨＡＲＱプロセスのバッファをフラッシュする。ＷＴＲＵは、非アクティブ化された２次ＨＡＲＱプロセスのバッファをフラッシュする。ＷＴＲＵはＭＡＣをリセットする。ＷＴＲＵは、ＨＡＲＱバッファメモリを再構成し、２次ＨＡＲＱプロセスに関連付けられたメモリを１次ＨＡＲＱプロセスに再割当てする。ＷＴＲＵ  ＭＡＣレイヤは、「２次ＨＡＲＱプロセス」内にあり送信を完了しなかったＭＡＣ  ＰＤＵの送信失敗のＲＬＣを示す。ＷＴＲＵは、２次ＨＡＲＱプロセス内のＭＡＣ  ＰＤＵをキュー内で保存する。次いで、ＷＴＲＵは、たとえば１次ＨＡＲＱプロセスが使用可能になったとき、それらのＰＤＵを新しい送信として１次ストリームの上で送信する。ＷＴＲＵは、２次ＨＡＲＱバッファをフラッシュする前に、各２次ＨＡＲＱプロセスが完了するまで待ってもよい。たとえば、ＷＴＲＵは、新しい送信を可能にしない間に、各２次ＨＡＲＱプロセスを終わらせる。単一の２次ＨＡＲＱプロセスを非アクティブ化するとき、ＷＴＲＵは、２次ＨＡＲＱバッファをフラッシュする前に、そのＨＡＲＱプロセスが完了するまで待ってもよい。たとえば、ＷＴＲＵは、新しい送信を可能にしない間に、その２次ＨＡＲＱプロセスを終わらせる。ＷＴＲＵは、２次ＨＡＲＱプロセスがアクティブ化される各ＨＡＲＱプロセス（たとえば、１次および２次）についてバッファをフラッシュする。
【０１８２】
ＷＴＲＵは、デュアルストリーム送信から単一ストリーム送信への変化を引き起こした実際のトリガによって決まるこれらのアクションの１または複数を実施するように構成される。たとえば、ＷＴＲＵは、２次ＨＡＲＱプロセス非アクティブ化のためのコマンドを受信したとき非アクティブ化される２次ＨＡＲＱプロセスのバッファをフラッシュするように構成される。
【０１８３】
マルチ−ストリーム動作における再送信を処理するためのシステムおよび方法が提供される。通常動作中、ＷＴＲＵは、ＴＴＩ内で２つのトランスポートブロックまでを送信する。たとえば、ノードＢは、両トランスポートブロック（ＴＢ）を復号せず、再送信を要求するＷＴＲＵに１または複数のＮＡＣＫを発行する。
【０１８４】
デュアルストリームＨＡＲＱ動作では、ＷＴＲＵは、ストリームについてＮＡＣＫを受信し、そのストリーム上で再送信する。たとえば、ＷＴＲＵは、２次ストリームについてＮＡＣＫを受信し、その２次ストリーム上で再送信する。ＷＴＲＵが、１つのストリームについてＮＡＣＫ、別のストリームについてＡＣＫを受信したとき、ＷＴＲＵは、ＮＡＣＫが受信されたストリーム上で（たとえば、そのストリーム上だけで）再送信するかどうか決定する。たとえば、ＷＴＲＵが１次ストリームについてＡＣＫ、２次ストリームについてＮＡＣＫを受信すると仮定してみる。ＷＴＲＵは、ＷＴＲＵバッファが空であり、ＷＴＲＵが電力制限され、および／またはＷＴＲＵがランク１送信のために構成されている場合、２次ストリーム上で（たとえば、２次ストリーム上だけで）再送信する。
【０１８５】
ＷＴＲＵが２次ストリーム上で再送信するとき、ＷＴＲＵは、１次Ｅ−ＤＰＤＣＨ上で送信し、および／または２次Ｅ−ＤＰＤＣＨを再送信するように構成される。ＷＴＲＵは、スケジューリング情報（ＳＩ）を送信し、肯定応答された１次ＴＢを再送信し、および／またはパディングビットを送信する（たとえば、単に送信する）。たとえば、ＷＴＲＵは、パディング有り、または無しで、１次ストリームＥ−ＤＰＤＣＨ上でＳＩを送るように構成される。パディングビットが送信されるとき、トランスポートフォーマットは、デュアルストリーム動作、たとえば２ＳＦ２＋２ＳＦ４をサポートする。ＷＴＲＵは、ＴＢがノードＢによって肯定応答されたときでさえ、１次ＴＢを再送信するように構成される。ＷＴＲＵは、１次ストリームＥ−ＤＰＤＣＨ上でパディングビットを送信するように構成される。
【０１８６】
電力制限されるとき、ＷＴＲＵは、２次ストリームＥ−ＤＰＤＣＨ（Ｓ−Ｅ−ＤＰＤＣＨ）上で電力スケーリングを適用する前に１次ストリームＥ−ＤＰＤＣＨ上で電力スケーリングを適用するように構成される。この構成は、ノードＢでの検出の確率を改善する。
【０１８７】
ＷＴＲＵは、単一のデータストリーム上で送信してもよい。たとえば、ＷＴＲＵは、ＷＴＲＵが電力制限されるとき単一のデータストリームを介して送信する。たとえば、ＷＴＲＵは、２次ストリーム上でＮＡＣＫを受信し、Ｓ−Ｅ−ＤＰＤＣＨ上で２次ＴＢを再送信し、一方、１次ストリームＥ−ＤＰＤＣＨ上で実質的に電力無しで送信する。ＷＴＲＵは、１次ストリームの上で（たとえば、１次ストリームプリコーディングベクトルを使用して）２次ＴＢを送信する。ＷＴＲＵは、２次ＴＢを１次ストリームに移動し、事実上、２次ストリームのためのＨＡＲＱプロセスを１次ストリームに再マッピングする。同様に、ＷＴＲＵは、再送信するために１次ストリームＴＢを２次ストリームに移動する。
【０１８８】
ストリーム再マッピングを処理するための実装が提供される。ストリーム再マッピングは、ＴＢを異なるストリーム上で再送信することを含む。たとえば、１次ストリームが肯定応答され、２次ストリームが否定応答されたとき、ＷＴＲＵは、否定応答された２次ストリームＴＢを１次ストリーム上で再送信する。否定応答された２次ストリームＴＢは、１次ストリームプリコーディングベクトルを使用して再送信される。たとえば、２次ストリームが肯定応答され、１次ストリームが否定応答されたとき、ＷＴＲＵは、否定応答された１次ストリームＴＢを２次ストリーム上で再送信する。否定応答された１次ストリームＴＢは、２次ストリームプリコーディングベクトルを使用して再送信される。
【０１８９】
ＷＴＲＵは、ストリーム再マッピングをノードＢに示す。たとえば、ＷＴＲＵは、ストリーム再マッピングを示す値をＥ−ＤＰＣＣＨ上で送信する。ＷＴＲＵは、Ｅ−ＤＣＨトランスポートフォーマット組合せ識別子（Ｅ−ＴＦＣＩ）の予約された値、２次ＴＢのＥ−ＴＦＣＩおよび再送信シーケンス番号（ＲＳＮ）、ＲＳＮの予約された値、ハッピービットの特別な値、ならびに／またはＥ−ＴＦＣＩ、ＲＳＮ、および／もしくはハッピービットの特別な値の組合せを送信するように構成される。
【０１９０】
たとえば、ＷＴＲＵは、Ｅ−ＤＰＣＣＨ上で担持される実際のＥ−ＴＦＣＩではなく、ストリーム再マッピングを示すためにＥ−ＴＦＣＩのための特別な値を送信する。ＷＴＲＵは、１次ストリームＥ−ＤＰＣＣＨ上で２次ＴＢに関連付けられたＲＳＮを送信する。ＷＴＲＵは、２次ＴＢのための実際のＥ−ＴＦＣＩ、および２次ＴＢに関連付けられたＲＳＮをＳ−Ｅ−ＤＰＣＣＨ上で送信するように構成される。
【０１９１】
たとえば、ＷＴＲＵは、Ｅ−ＴＦＣＩ、ＲＳＮ、および／またはハッピービットの特別な値または組合せをＳ−Ｅ−ＤＰＣＣＨ上で送信する。ＷＴＲＵは２次ＴＢのための実際のＥ−ＴＦＣＩおよびＲＳＮをＥ−ＤＰＣＣＨ上で送信する。たとえば、ＷＴＲＵは２次ＴＢに関連付けられたＥ−ＴＦＣＩおよびＲＳＮ、ならびにハッピービットをＥ−ＤＰＣＣＨおよびＳ−Ｅ−ＤＰＣＣＨ上で同時に送信する。
【０１９２】
たとえば、ＷＴＲＵは、ストリーム再マッピングをノードＢに暗黙に示す。ＷＴＲＵは、２次ＴＢのＥ−ＴＦＣＩおよびＲＳＮを１次ストリームＥ−ＤＰＣＣＨ上で送信する。ＷＴＲＵは、Ｓ−Ｅ−ＤＰＣＣＨを送信しない。ＷＴＲＵは２次ＴＢに関連付けられたＥ−ＴＦＣＩおよびＲＳＮ情報をＥ−ＤＰＣＣＨ上で送信する。ノードＢは、Ｅ−ＤＰＣＣＨ上のＥ−ＴＦＣＩに基づいてストリーム再マッピングが行われたと決定する。たとえば、Ｅ−ＴＦＣＩが以前の送信における２次ストリーム上のＥ−ＴＦＣＩに対応し、ＲＳＮが適切に増分されている（たとえば、０とは異なる）とき、ノードＢはストリーム再マッピングが行われたと決定する。
【０１９３】
たとえば、ＷＴＲＵは、２次ＴＢを１次ストリーム上で再送信するときＲＳＮの予約された値を使用する。ＷＴＲＵは、ＲＳＮ＝３で送信する。１次ストリームＨＡＲＱは、その予約されたＲＳＮ値（たとえば、３）を使用しなくてもよい。たとえば、ＷＴＲＵは、ストリーム再マッピングを示すためにハッピービットの予約された値を使用する。ＷＴＲＵは、ハッピービットをＥ−ＤＰＣＣＨおよび／またはＳ−Ｅ−ＤＰＣＣＨ上で送信する。
【０１９４】
ＷＴＲＵがストリーム再マッピングを適用するとき、ＷＴＲＵは、再マッピングされたＴＢが肯定応答され、および／またはＨＡＲＱ再送信の最大数に達するまで、２次ストリーム上で送信を発行しないように構成される。
【０１９５】
ＷＴＲＵは、再マッピングされたＴＢのために送信パラメータを再計算するように構成される。たとえば、ＷＴＲＵは、異なるストリーム上で担持されるデータに基づいて、必要とされる送信電力および／またはトランスポートフォーマットを再計算する。ＷＴＲＵは、単一ストリーム動作のための規則を適用し、２次ストリームトランスポートブロックサイズ（ＴＢＳ）に基づいて送信パラメータを決定する。
【０１９６】
ＷＴＲＵは、送信ランクおよび２次電力オフセットを自律的に制御する。たとえば、ＷＴＲＵは、受信されたＨＡＲＱ  ＡＣＫ／ＮＡＣＫに基づいて２次ストリーム電力オフセットに自律的に適応する。ＷＴＲＵは、ノードＢに送信ランクについて自律的に通知する。
【０１９７】
変調および送信方式を動的に制御するためのシステムおよび方法が提供される。一例では、ＷＴＲＵがアップリンク上で６４ＱＡＭ動作のために構成されると仮定される。ＷＴＲＵは、６４ＱＡＭをサポートする関連のトランスポートブロックサイズテーブルで構成される。
【０１９８】
６４ＱＡＭ動作のアクティブ化および非アクティブ化が提供される。６４ＱＡＭのアクティブ化／非アクティブ化に関連して起こされるアクションが提供される。これらの動作およびアクションの組合せが使用される。
【０１９９】
６４ＱＡＭ動作をアクティブ化および非アクティブ化するためのトリガは、以下の１または複数を含む。ＨＳ−ＳＣＣＨオーダが使用される。ＷＴＲＵは、６４ＱＡＭ動作をアクティブ化および非アクティブ化するためにＨＳ−ＳＣＣＨオーダを受信するように構成される。ＨＳ−ＳＣＣＨオーダは、そのようなアクティブ化および非アクティブ化のために設計されている。グラント（ｇｒａｎｔ）をベースとする方法が使用されてもよい。ＷＴＲＵは、アップリンク送信を制御するために１または複数の絶対グラント（Ｅ−ＡＧＣＨ）またはＥ−ＡＧＣＨ−ｌｉｋｅチャネルを監視するように構成される。以下の例は、例示的なものである。ＷＴＲＵは、ＷＴＲＵが予め構成されたレベル未満の絶対グラントを受信したとき６４ＱＡＭ動作を非アクティブ化する。ＷＴＲＵは、予め構成されたレベルより高い絶対グラントを受信したとき６４ＱＡＭ動作をアクティブ化する。絶対グラントの特別な値またはＥ−ＡＧＣＨ上で担持される値の特別な組合せが、６４ＱＡＭ動作のアクティブ化および／または非アクティブ化を示すために使用される。Ｌ２／ＭＡＣ制御が使用されてもよい。ＷＴＲＵは、Ｌ２／ＭＡＣ制御メッセージを受信し、６４ＱＡＭ動作をアクティブ化および／または非アクティブ化するように構成される。たとえば、Ｌ２／ＭＡＣ制御メッセージを担持するように、ＭＡＣ−ｅｈｓヘッダが作成される。
【０２００】
アクティブ化および／または非アクティブ化メッセージを受信したときのアクションは、以下の１または複数を含む。６４ＱＡＭアクティブ化メッセージを受信したとき、ＷＴＲＵは、以下のアクションの１または複数を実施する。すなわち、現在アクティブ状態のＨＡＲＱプロセスが完了するまで待ち、６４ＱＡＭサポートで送信を開始するのをスタートし、トランスポートブロックサイズテーブルを６４ＱＡＭをサポートするテーブルに変更し、該変更は、新しいＨＡＲＱ送信のためのテーブルを変更すること、非６４ＱＡＭテーブルＨＡＲＱ送信を継続状態で保つこと、新しい送信および再送信のためのテーブルを変更することのうちの１または複数を含み、ＨＡＲＱバッファをフラッシュする、などである。６４ＱＡＭ非アクティブ化メッセージを受信したとき、ＷＴＲＵは、以下のアクションの１または複数を実施する。すなわち、現在アクティブ状態のＨＡＲＱプロセスが完了するまで待ち、６４ＱＡＭ送信を開始するのを停止し、６４ＱＡＭ送信および継続中の再送信を停止し、ＨＡＲＱバッファをフラッシュし、トランスポートブロックサイズテーブルを非６４ＱＡＭテーブルに変更する、などである。
【０２０１】
一例として、これらのアクション、またはこれらのアクションの組合せは、６４ＱＡＭ動作を可能にする、および／または使用不能にするようにＲＲＣシグナリングを介してＷＴＲＵが再構成されるとき実施される。また、これらのアクション、またはこれらのアクションの組合せ、および上記のトリガは、ＵＬ  ＭＩＭＯならびに／またはジョイントＵＬ  ＭＩＭＯおよび６４ＱＡＭ動作のアクティブ化および非アクティブ化のために実施される。
【０２０２】
本明細書に記載のように、実装は、たとえばアップリンクＭＩＭＯ動作に関連するランク、オフセット、および／またはストリーム間干渉制御情報を決定するＷＴＲＵに関する。ＷＴＲＵは、専用Ｅ−ＲＮＴＩを受け取るように構成されるプロセッサを含む。専用Ｅ−ＲＮＴＩは、チャネルに関連付けられる。チャネルは、ランクインジケーションに関連付けられる。チャネルはＥ−ＡＧＣＨ−ｌｉｋｅチャネルである。たとえば、Ｅ−ＡＧＣＨ−ｌｉｋｅチャネルはＥ−ＲＯＣＨである。
【０２０３】
Ｅ−ＡＧＣＨ−ｌｉｋｅチャネルの符号化は、Ｅ−ＡＧＣＨ符号化に関連する。Ｅ−ＡＧＣＨ−ｌｉｋｅチャネルは、Ｅ−ＡＧＣＨのチャネルと同様の符号化構造を有する。たとえば、Ｅ−ＡＧＣＨ−ｌｉｋｅチャネルは、Ｅ−ＡＧＣＨと同様（たとえば、同じ）符号化チェーン（たとえば、同じ数のビットなど）を有する。Ｅ−ＡＧＣＨ−ｌｉｋｅチャネルのフィールドは、Ｅ−ＡＧＣＨのフィールドとは異なる。たとえば、Ｅ−ＡＧＣＨ−ｌｉｋｅチャネルのフィールドは、それだけには限らないが、送信ランクインジケータ、２次ストリーム電力、２次ストリーム電力オフセット、２次ストリーム速度など、２次ストリームパラメータを含む。
【０２０４】
プロセッサは、チャネルを受け取り、そのチャネルが専用Ｅ−ＲＮＴＩに関連付けられていると決定する。たとえば、ＷＴＲＵは、専用Ｅ−ＲＮＴＩを監視し、Ｅ−ＡＧＣＨまたはＥ−ＡＧＣＨ−ｌｉｋｅチャネルに関連付けられるかどうか決定する。プロセッサは、ランクまたはオフセットのうちの少なくとも１つを決定するように構成される。ランクは、送信ランクインジケーションである。ランクは、ＭＩＭＯレイヤの最大許容数を示す。たとえば、ランクは、ＷＴＲＵによってデュアルストリーム送信において利用されるＭＩＭＯレイヤの最大許容数を示す。デュアルストリーム送信の２次ストリームのトランスポートブロックサイズが、オフセットを使用して決定される。たとえば、オフセットは、２次ストリームトランスポートブロックサイズを計算する際にＷＴＲＵが適用するペナルティを示す。プロセッサは、決定されたランクまたはオフセットでＷＴＲＵを構成するようにさらに構成される。
【０２０５】
プロセッサは、チャネルが専用Ｅ−ＲＮＴＩに関連付けられていると決定するために、チャネルを復号するように構成される。たとえば、プロセッサは、チャネルを復号し、専用Ｅ−ＲＮＴＩを使用して、復号されたチャネルに対して巡回冗長検査（ＣＲＣ）を実施し、そのチャネルが専用Ｅ−ＲＮＴＩに関連付けられていると決定するように構成される。ＣＲＣは、Ｅ−ＡＧＣＨ−ｌｉｋｅチャネル上のデータが正しく受信されることを確実にするために使用される。たとえば、ＣＲＣを使用し、受信されたデータ内に誤りがあることを検出する。
【０２０６】
さらに、プロセッサは、ストリーム間干渉（ＩＳＩ）オフセットを、たとえばＲＲＣシグナリングを介して受け取るように構成される。さらに、プロセッサは、ＩＳＩオフセットをデュアルストリーム送信の１次ストリームのアップリンク送信に適用するように構成される。たとえば、ＷＴＲＵは、ＩＳＩオフセットを１次ストリームに適用し、アップリンク送信において１次ストリーム上で送られるデータを変更する。たとえば、２次ストリームオフセットは２次ストリームに適用されるので、ＩＳＩは、２次ストリームに適用されない。
【０２０７】
上記では特徴および要素が特定の組合せで述べられているが、各特徴および要素は、単独で、または他の特徴および要素との任意の組合せで使用することができることを、当業者なら理解するであろう。さらに、本明細書に記載の方法は、コンピュータまたはプロセッサによって実行するためのコンピュータ可読媒体内に組み込まれるコンピュータプログラム、ソフトウェア、またはファームウェアで実施することができる。コンピュータ可読媒体の例は、（有線接続または無線接続を介して伝送される）電子信号、およびコンピュータ可読記憶媒体を含む。コンピュータ可読記憶媒体の例は、それだけには限らないが、読取り専用メモリ（ＲＯＭ）、ランダムアクセスメモリ（ＲＡＭ）、レジスタ、キャッシュメモリ、半導体メモリデバイス、内部ハードディスクや取外し式ディスクなど磁気媒体、磁気−光媒体、およびＣＤ−ＲＯＭディスクおよびデジタル多目的ディスク（ＤＶＤ）など光媒体を含む。ソフトウェアと関連付けられたプロセッサを使用し、ＷＴＲＵ、ＵＥ、端末、基地局、ＲＮＣ、または任意のホストコンピュータで使用するための無線周波数トランシーバを実装する。
【図１Ｂ】
2015507435.tif 000023
【図２】
2015507435.tif 000024
【図３】
2015507435.tif 000025
【図４】
2015507435.tif 000026
【図５】
2015507435.tif 000027
【図６】
2015507435.tif 000028
【図７】
2015507435.tif 000029
【図１Ａ】
2015507435.tif 000030
【図１Ｃ】
2015507435.tif 000031
【図１Ｄ】
2015507435.tif 000032
【図１Ｅ】
2015507435.tif 000033
【手続補正書】
【提出日】平成26年9月25日(2014.9.25)
【手続補正１】
【補正対象書類名】特許請求の範囲
【補正対象項目名】全文
【補正方法】変更
【補正の内容】
【特許請求の範囲】
【請求項１】
無線送信／受信ユニット（ＷＴＲＵ）を制御するための方法であって、
専用Ｅ−ＲＮＴＩを受信するステップであって、前記専用Ｅ−ＲＮＴＩはチャネルに関連付けられ、および前記チャネルはランクインジケーションに関連付けられる、該ステップと、
前記チャネルを受信するステップと、
前記チャネルが前記専用Ｅ−ＲＮＴＩに関連付けられていることを決定するステップと、
ランクを決定するステップであって、前記ランクはＭＩＭＯレイヤの最大許容数を示す、該ステップと
を備えたことを特徴とする方法。
【請求項２】
前記チャネルは、Ｅ−ＡＧＣＨ−ｌｉｋｅチャネルであることを特徴とする請求項１に記載の方法。
【請求項３】
前記Ｅ−ＡＧＣＨ−ｌｉｋｅチャネルは、Ｅ−ＲＯＣＨであることを特徴とする請求項２に記載の方法。
【請求項４】
前記Ｅ−ＡＧＣＨ−ｌｉｋｅチャネルは、Ｅ−ＡＧＣＨと同じ符号化チェーンを有することを特徴とする請求項２に記載の方法。
【請求項５】
前記チャネルが前記専用Ｅ−ＲＮＴＩに関連付けられていることを決定するステップは、前記チャネルを復号するステップを備えたことを特徴とする請求項１に記載の方法。
【請求項６】
前記チャネルが前記専用Ｅ−ＲＮＴＩに関連付けられていることを決定するステップは、前記チャネルを復号するステップと、前記専用Ｅ−ＲＮＴＩを利用して、前記復号されたチャネルについて巡回冗長検査（ＣＲＣ）を実行するステップと、前記チャネルが前記専用Ｅ−ＲＮＴＩに関連付けられていることを決定するステップとを備えたことを特徴とする請求項１に記載の方法。
【請求項７】
オフセットを決定するステップと、
前記オフセットを使用して、デュアルストリーム送信の２次ストリームのトランスポートブロックサイズを決定するステップと
をさらに備えたことを特徴とする請求項１に記載の方法。
【請求項８】
前記決定されたランクで前記ＷＴＲＵを構成するステップをさらに備えたことを特徴とする請求項１に記載の方法。
【請求項９】
ストリーム間干渉（ＩＳＩ）オフセットを受信するステップをさらに備え、前記ＩＳＩオフセットはＲＲＣシグナリングを介して受信されることを特徴とする請求項１に記載の方法。
【請求項１０】
前記ＩＳＩオフセットをデュアルストリーム送信の１次ストリームのアップリンク送信に適用するステップをさらに備えたことを特徴とする請求項９に記載の方法。
【請求項１１】
専用Ｅ−ＲＮＴＩを受信し、前記専用Ｅ−ＲＮＴＩはチャネルに関連付けられ、および前記チャネルはランクインジケーションに関連付けられており、
前記チャネルを受信し、
前記チャネルが前記専用Ｅ−ＲＮＴＩに関連付けられていることを決定し、
ランクを決定し、前記ランクはＭＩＭＯレイヤの最大許容数を示す、
ように構成されたプロセッサ
を備えたことを特徴とするＷＴＲＵ。
【請求項１２】
前記チャネルは、Ｅ−ＡＧＣＨ−ｌｉｋｅチャネルであることを特徴とする請求項１１に記載のＷＴＲＵ。
【請求項１３】
前記Ｅ−ＡＧＣＨ−ｌｉｋｅチャネルは、Ｅ−ＲＯＣＨであることを特徴とする請求項１２に記載のＷＴＲＵ。
【請求項１４】
前記Ｅ−ＡＧＣＨ−ｌｉｋｅチャネルは、Ｅ−ＡＧＣＨと同じ符号化チェーンを有することを特徴とする請求項１２に記載のＷＴＲＵ。
【請求項１５】
前記プロセッサは、前記チャネルを復号し、前記チャネルが前記専用Ｅ−ＲＮＴＩに関連付けられていることを決定するように構成されたことを特徴とする請求項１１に記載のＷＴＲＵ。
【請求項１６】
前記チャネルが専用Ｅ−ＲＮＴＩに関連付けられていると決定するために、前記プロセッサは、前記チャネルを復号し、前記専用Ｅ−ＲＮＴＩを利用して前記復号されたチャネルについて巡回冗長検査（ＣＲＣ）を実行し、前記チャネルが前記専用Ｅ−ＲＮＴＩに関連付けられていることを決定するように構成されたことを特徴とする請求項１１に記載のＷＴＲＵ。
【請求項１７】
前記プロセッサは、オフセットを決定し、前記オフセットを使用してデュアルストリーム送信の２次ストリームのトランスポートブロックサイズを決定するようにさらに構成されたことを特徴とする請求項１１に記載のＷＴＲＵ。
【請求項１８】
前記プロセッサは、前記決定されたランクで前記ＷＴＲＵを構成するようにさらに構成されたことを特徴とする請求項１１に記載のＷＴＲＵ。
【請求項１９】
前記プロセッサはストリーム間干渉（ＩＳＩ）オフセットを受信するようにさらに構成され、前記ＩＳＩオフセットはＲＲＣシグナリングを介して受信されることを特徴とする請求項１１に記載のＷＴＲＵ。
【請求項２０】
前記プロセッサは、前記ＩＳＩオフセットをデュアルストリーム送信の１次ストリームのアップリンク送信に適用するようにさらに構成されたことを特徴とする請求項１９に記載のＷＴＲＵ。
【国際調査報告】
2015507435.tif 000034
2015507435.tif 000035